(57)【特許請求の範囲】
【請求項１】
基地局装置と通信を行なう移動局装置であって、
無線リソース制御信号を用いて、サウンディング参照信号に対する、複数のパラメータセットを受信し、
サウンディング参照信号リクエストフィールドを含む下りリンク制御情報を、物理下りリンク制御チャネルを用いて受信する受信部を備え、
前記複数のパラメータセットにはそれぞれ、サウンディング参照信号送信のための帯域幅に関するパラメータが含まれ
前記サウンディング参照信号リクエストフィールドの値は、前記複数のパラメータセットのうちの１つに対応することを特徴とする移動局装置。
【請求項２】
前記サウンディング参照信号リクエストフィールドの値が第１の値にセットされている場合には、前記複数のパラメータセットのうち、第１のパラメータセットに基づいて設定したサウンディング参照信号を送信する送信部を備え、
前記送信部は、
前記サウンディング参照信号リクエストフィールドの値が第２の値にセットされている場合には、前記複数のパラメータセットのうち、第２のパラメータセットに基づいて設定したサウンディング参照信号を送信し、
前記サウンディング参照信号リクエストフィールドの値が第３の値にセットされている場合には、サウンディング参照信号を送信しないことを特徴とする請求項１に記載の移動局装置。
【請求項３】
前記サウンディング参照信号リクエストフィールドを含む下りリンク制御情報を、複数のアンテナポートを伴う物理上りリンク共用チャネルのスケジューリングに対して用いられる物理下りリンク制御チャネルを用いて受信することを特徴とする請求項２に記載の移動局装置。
【請求項４】
移動局装置と通信を行なう基地局装置であって、
無線リソース制御信号を用いて、サウンディング参照信号に対する複数のパラメータセットを送信し、
サウンディング参照信号リクエストフィールドを含む下りリンク制御情報を、物理下りリンク制御チャネルを用いて、送信する送信部を備え、
前記複数のパラメータセットにはそれぞれ、サウンディング参照信号送信のための帯域幅に関するパラメータを含み、
前記サウンディング参照信号リクエストフィールドの値は、前記複数のパラメータセットのうちの１つに対応することを特徴とする基地局装置。
【請求項５】
前記送信部は、
第１のパラメータセットに基づくサウンディング参照信号の送信を要求する場合には、前記サウンディング参照信号リクエストフィールドの値を第１の値にセットし、
第２のパラメータセットに基づくサウンディング参照信号の送信を要求する場合には、前記サウンディング参照信号リクエストフィールドの値を第２の値にセットし、
サウンディング参照信号の送信を要求しない場合には、前記サウンディング参照信号リクエストフィールドの値を第３の値にセットすることを特徴とする請求項４に記載の基地局装置。
【請求項６】
前記送信部は、前記サウンディング参照信号リクエストフィールドを含む下りリンク制御情報を、複数のアンテナポートを伴う物理上りリンク共用チャネルのスケジューリングに対して用いられる物理下りリンク制御チャネルを用いて送信することを特徴とする請求項５に記載の基地局装置。
【請求項７】
基地局装置と通信を行なう移動局装置の通信方法であって、
無線リソース制御信号を用いて、サウンディング参照信号に対する、複数のパラメータセットを受信するステップと、
サウンディング参照信号リクエストフィールドを含む下りリンク制御情報を、物理下りリンク制御チャネルを用いて受信するステップと、を含み、
前記複数のパラメータセットにはそれぞれ、サウンディング参照信号送信のための帯域幅に関するパラメータが含まれ、
前記サウンディング参照信号リクエストフィールドの値は、前記複数のパラメータセットのうちの１つに対応することを特徴とする通信方法。
【請求項８】
前記サウンディング参照信号リクエストフィールドの値が第１の値にセットされている場合には、前記複数のパラメータセットのうち、第１のパラメータセットに基づいて設定したサウンディング参照信号を送信するステップと、
前記サウンディング参照信号リクエストフィールドの値が第２の値にセットされている場合には、前記複数のパラメータセットのうち、第２のパラメータセットに基づいて設定したサウンディング参照信号を送信するステップと、
前記サウンディング参照信号リクエストフィールドの値が第３の値にセットされている場合には、サウンディング参照信号を送信しないステップと、を含むことを特徴とする請求項７に記載の通信方法。
【請求項９】
前記サウンディング参照信号リクエストフィールドを、複数のアンテナポートを伴う物理上りリンク共用チャネルのスケジューリングに対して用いられる物理下りリンク制御チャネルから検出するステップを含むことを特徴とする請求項８に記載の通信方法。
【請求項１０】
移動局装置と通信を行なう基地局装置の通信方法であって、
無線リソース制御信号を用いて、サウンディング参照信号に対する複数のパラメータセットを送信するステップと、
サウンディング参照信号リクエストフィールドを含む下りリンク制御情報を、物理下りリンク制御チャネルを用いて送信するステップと、
前記複数のパラメータセットのそれぞれに、サウンディング参照信号送信のための帯域幅に関するパラメータをセットするステップと、
前記サウンディング参照信号リクエストフィールドの値と、前記複数のパラメータセットのうちの１つを対応させるステップと、を含むことを特徴とする通信方法。
【請求項１１】
第１のパラメータセットに基づくサウンディング参照信号の送信を要求する場合には、前記サウンディング参照信号リクエストフィールドの値を第１の値にセットするステップと、
第２のパラメータセットに基づくサウンディング参照信号の送信を要求する場合には、前記サウンディング参照信号リクエストフィールドの値を第２の値にセットするステップと、
サウンディング参照信号の送信を要求しない場合には、前記サウンディング参照信号リクエストフィールドの値を第３の値にセットするステップと、を含むことを特徴とする請求項１０に記載の通信方法。
【請求項１２】
前記サウンディング参照信号リクエストフィールドを含む下りリンク制御情報を、複数のアンテナポートを伴う物理上りリンク共用チャネルのスケジューリングに対して用いられる物理下りリンク制御チャネルを用いて送信するステップを含むことを特徴とする請求項１１に記載の通信方法。
【発明の詳細な説明】
【技術分野】
【０００１】
本発明は、移動局装置と基地局装置から構成される無線通信システムに関し、特に、移動局装置のチャネル測定用の参照信号の送信制御方法に関する。
【背景技術】
【０００２】
従来から、セルラー移動通信の無線アクセス方式および無線ネットワークの進化（以下、「Long Term Evolution (LTE)」、または、「Evolved Universal Terrestrial Radio Access (EUTRA)」とも呼称する）、および、ＬＴＥより広帯域な周波数帯域を利用して、さらに高速なデータの通信を実現する無線アクセス方式および無線ネットワーク（以下、「Long Term Evolution-Advanced (LTE-A)」、または、「Advanced Evolved Universal Terrestrial Radio Access (A-EUTRA)」とも呼称する）が、第三世代パートナーシッププロジェクト（3rd Generation Partnership Project; 3GPP）において検討されている。
【０００３】
ＬＴＥにおける通信方式としては、互いに直交するサブキャリアを用いてユーザ多重化を行うＯＦＤＭＡ（Orthogonal Frequency Division Multiple Access）方式、および、ＳＣ−ＦＤＭＡ（Single Carrier-Frequency Division Multiple Access）方式が検討されている。すなわち、下りリンクでは、マルチキャリア通信方式であるＯＦＤＭＡ方式が、上りリンクでは、シングルキャリア通信方式であるＳＣ−ＦＤＭＡ方式が提案されている。
【０００４】
一方、ＬＴＥ−Ａにおける通信方式としては、下りリンクでは、ＯＦＤＭＡ方式が、上りリンクでは、ＳＣ−ＦＤＭＡ方式に加えて、Ｃｌｕｓｔｅｒｅｄ−ＳＣ−ＦＤＭＡ（Clustered-Single Carrier-Frequency Division Multiple Access、DFT-s-OFDM with Spectrum Division Control、DFT-precoded OFDMとも呼称する）方式を導入することが検討されている。ここで、ＬＴＥおよびＬＴＥ−Ａにおいて、上りリンクの通信方式として提案されているＳＣ−ＦＤＭＡ方式、Ｃｌｕｓｔｅｒｅｄ−ＳＣ−ＦＤＭＡ方式は、シングルキャリア通信方式の特性上（シングルキャリア特性によって）、データ（情報）を送信する際のＰＡＰＲ（Peak to Average Power Ratio：ピーク電力対平均電力比、送信電力）を低く抑えることができるという特徴を持っている。
【０００５】
また、ＬＴＥ−Ａでは、一般的な無線通信システムで使用する周波数帯域は連続であるのに対し、連続および／または不連続な複数の周波数帯域（以下、「コンポーネントキャリア（CC: Component Carrier）」または「キャリアコンポーネント（CC: Carrier Component）」とも呼称する）を複合的に使用して、１つの広帯域な周波数帯域として運用する（周波数帯域集約：Carrier aggregationとも呼称する）ことが提案されている。また、基地局装置と移動局装置（UE: User Equipment）が、広帯域な周波数帯域をより柔軟に使用して通信するために、下りリンクの通信に使用される周波数帯域と上りリンクの通信に使用される周波数帯域を異なる周波数帯域幅とする（非対称周波数帯域集約：Asymmetric carrier aggregation）ことも提案されている（非特許文献１）。
【０００６】
図７は、従来の技術における周波数帯域集約された無線通信システムを説明する図である。図７に示されるような下りリンク（DL: Down Link）の通信に使用される周波数帯域と上りリンク（UL: Up Link）の通信に使用される周波数帯域を同じ帯域幅とすることは、対称周波数帯域集約（Symmetric carrier aggregation）とも呼称する。図７に示すように、基地局装置と移動局装置は、連続および／または不連続な周波数帯域である複数のコンポーネントキャリアを複合的に使用することによって、複数のコンポーネントキャリアによって構成される広帯域な周波数帯域で通信を行うことができる。
【０００７】
図７では、例として、１００ＭＨｚの帯域幅を持った下りリンクの通信に使用される周波数帯域（ＤＬシステム帯域（幅）でも良い）が、２０ＭＨｚの帯域幅を持った５つの下りリンクコンポーネントキャリア（ＤＣＣ１：Downlink Component Carrier１、ＤＣＣ２、ＤＣＣ３、ＤＣＣ４、ＤＣＣ５）によって構成されていることを示している。また、例として、１００ＭＨｚの帯域幅を持った上りリンクの通信に使用される周波数帯域（ＵＬシステム帯域（幅）でも良い）が、２０ＭＨｚの帯域幅を持った５つの上りリンクコンポーネントキャリア（ＵＣＣ１：Uplink Component Carrier１、ＵＣＣ２、ＵＣＣ３、ＵＣＣ４、ＵＣＣ５）によって構成されていることを示している。
【０００８】
図７において、下りリンクコンポーネントキャリアそれぞれには、物理下りリンク制御チャネル（PDCCH: Physical Downlink Control Channel）、物理下りリンク共用チャネル（PDSCH: Physical Downlink Shared Channel）等の下りリンクのチャネルが配置される。
【０００９】
基地局装置は、ＰＤＳＣＨを使用して送信される下りリンクトランスポートブロックを送信するための下りリンク制御情報（DCI: Downlink Control Information）を、ＰＤＣＣＨを使用して移動局装置へ割り当てる（スケジュールする）。基地局装置は、ＰＤＳＣＨを使用して、下りリンクトランスポートブロックを移動局装置へ送信する。ここで、図７において、基地局装置は、同一サブフレームで、最大５つまでの下りリンクトランスポートブロック（ＰＤＳＣＨでも良い）を移動局装置へ送信することができる。
【００１０】
また、上りリンクコンポーネントキャリアそれぞれには、物理上りリンク制御チャネル（PUCCH: Physical Uplink Control Channel）、物理上りリンク共用チャネル（PUSCH: Physical Uplink Shared Channel）等の上りリンクのチャネルが配置される。
【００１１】
移動局装置は、ＰＵＣＣＨおよび／またはＰＵＳＣＨを使用して、下りリンクのチャネル状態を示すチャネル状態情報（CSI: Channel Statement information）や、下りリンクトランスポートブロックに対するＨＡＲＱにおけるＡＣＫ／ＮＡＣＫ（肯定応答：Positive Acknowledgement／否定応答：Negative Acknowledgement）を示す情報や、スケジューリング要求（SR: Scheduling Request）などの上りリンク制御情報（UCI: Uplink Control Information）を基地局装置へ送信する。ここで、図７において、移動局装置は、同一サブフレームで、最大５つまでの上りリンクトランスポートブロック（ＰＵＳＣＨでも良い）を基地局装置へ送信することができる。
【００１２】
同様に、図８は、従来の技術における非対称周波数帯域集約された無線通信システムを説明する図である。図８に示すように、基地局装置と移動局装置は、下りリンクの通信に使用される周波数帯域と上りリンクの通信に使用される周波数帯域とを異なる帯域幅とし、これらの周波数帯域を構成する連続および／または不連続な周波数帯域であるコンポーネントキャリアを複合的に使用して広帯域な周波数帯域で通信を行うことができる。
【００１３】
図８では、例として、１００ＭＨｚの帯域幅を持った下りリンクの通信に使用される周波数帯域が、２０ＭＨｚの帯域幅を持った５つの下りリンクコンポーネントキャリア（ＤＣＣ１、ＤＣＣ２、ＤＣＣ３、ＤＣＣ４、ＤＣＣ５）によって構成されている。また、例として、４０ＭＨｚの帯域幅を持った上りリンクの通信に使用される周波数帯域が、２０ＭＨｚの帯域幅を持った２つの上りリンクコンポーネントキャリア（ＵＣＣ１、ＵＣＣ２）によって構成されていることを示している。
【００１４】
図８において、下りリンク／上りリンクのコンポーネントキャリアそれぞれには下りリンク／上りリンクのチャネルが配置される。基地局装置は、ＰＤＣＣＨを使用してＰＤＳＣＨを移動局装置へ割り当て（スケジュールし）、ＰＤＳＣＨを使用して下りリンクトランスポートブロックを移動局装置へ送信する。ここで、図８において、基地局装置は、同一サブフレームで、最大５つまでの下りリンクトランスポートブロック（ＰＤＳＣＨでも良い）を移動局装置へ送信することができる。
【００１５】
また、移動局装置は、ＰＵＣＣＨおよび／またはＰＵＳＣＨを使用して、チャネル状態情報や、下りリンクトランスポートブロックに対するＨＡＲＱにおけるＡＣＫ／ＮＡＣＫを示す情報や、スケジューリング要求などの上りリンク制御情報を基地局装置へ送信する。ここで、図８において、移動局装置は、同一サブフレームで、最大２つまでの上りリンクトランスポートブロック（ＰＵＳＣＨでも良い）を基地局装置へ送信することができる。
【００１６】
ＬＴＥ−Ａでは、基地局装置からＰＤＣＣＨで送信要求が通知された時だけ送信するサウンディング参照信号（A-SRS: Aperiodic Sounding Reference Signal）が提案されている。Ａ−ＳＲＳの送信指示情報（A-SRS activation / deactivation）を下りリンク制御情報（DCI: Downlink Control Information）フォーマット（ＤＣＩフォーマットとも呼称する）に含めることで、移動局装置は、基地局装置がＡ−ＳＲＳの送信を要求しているか否かを判断することができ、ダイナミックにＡ−ＳＲＳの送信制御を行うことができる。また、基地局装置は、移動局装置に対して、下りリンクに対する下りリンク制御情報フォーマット（ＤＣＩフォーマット、下りリンクグラント：Downlink grant、下りリンクアサインメント：Downlink assignmentとも呼称する）を使用して、Ａ−ＳＲＳの送信を指示すること、および上りリンクに対する下りリンク制御情報フォーマット（ＤＣＩフォーマット、上りリンクグラント：UL grant、上りリンクアサインメント：Uplink assignmentとも呼称する）を使用して、Ａ−ＳＲＳの送信を指示することが提案されている。さらに、Ａ−ＳＲＳの送信指示を上りリンクグラントまたは下りリンクアサインメントの１ビット（マルチビット）、または所定のコードポイントで示すことが提案されている（非特許文献２）。
【先行技術文献】
【非特許文献】
【００１７】
【非特許文献１】“Carrier aggregation in LTE-Advanced”, R1-082464, 3GPP TSG RAN WG1 Meeting #53bis, Jun 30 - Jul 4, 2008.
【非特許文献２】“LTE-A Dynamic Aperiodic SRS - Duration, Timing, and Carrier Aggregation”, R1-103187, 3GPP TSG-RAN1 Meeting #61, May 10 - 14, 2010.
【発明の概要】
【発明が解決しようとする課題】
【００１８】
しかしながら、従来技術において、基地局装置によってＡ−ＳＲＳの送信を指示された移動局装置は、Ａ−ＳＲＳ送信に使用するパラメータを切り替えずに、Ａ−ＳＲＳを基地局装置へ送信していた。すなわち、移動局装置は、基地局装置によってスケジュールされたＰＵＳＣＨリソース（ＰＵＳＣＨリソースの一部）に、Ａ−ＳＲＳを配置して基地局装置へ送信していた（インバンドＡ−ＳＲＳ送信）。例えば、移動局装置は、基地局装置によってスケジュールされたＰＵＳＣＨリソースと同じ帯域幅の送信帯域幅で、Ａ−ＳＲＳを基地局装置へ送信していた。
【００１９】
また、移動局装置は、基地局装置によってＰＵＳＣＨリソースに対する設定情報とは異なる設定情報で設定されたリソースに、Ａ−ＳＲＳを配置して基地局装置へ送信していた（アウトバウンドＡ−ＳＲＳ送信）。例えば、移動局装置は、基地局装置によって設定された広い送信帯域幅で、Ａ−ＳＲＳを基地局装置へ送信していた。
【００２０】
ここで、移動局装置が通信品質の良い環境において基地局装置と通信する場合、インバンドでＡ−ＳＲＳを送信したとしても、基地局装置は、移動局装置へスケジュールしたＰＵＳＣＨリソースの範囲内でしかチャネル測定を行うことができず、周波数選択スケジューリングによる通信品質の向上を図ることができないために効率的な通信を行うことができない。また、移動局装置が通信品質の悪い環境において基地局装置と通信する場合、アウトバンドでＡ−ＳＲＳを送信したとしても、基地局装置によるチャネル測定精度は劣化してしまい、効率的な通信を行うことができない。すなわち、従来技術において、基地局装置によってＡ−ＳＲＳの送信を指示された移動局装置が、Ａ−ＳＲＳ送信に使用するパラメータを切り替えずに、Ａ−ＳＲＳを基地局装置へ送信していたために、基地局装置と移動局装置の間で効率的な通信を行うことができないという問題があった。
【００２１】
本発明は、上記の点を鑑みてなされたものであり、移動局装置から送信されるＡ−ＳＲＳに基づいて、基地局装置と移動局装置との間で効率的な通信を行うことができる移動局装置、基地局装置、無線通信システム、無線通信方法および集積回路を提供することを目的とする。
【課題を解決するための手段】
【００２２】
（１）上記の目的を達成するために、本発明は、以下のような手段を講じた。すなわち、本発明の無線通信システムは、基地局装置と移動局装置とが無線通信を行う無線通信システムであって、前記基地局装置は、物理上りリンク共用チャネルリソース内に配置される第１のサウンディング参照信号を送信するか、前記物理上りリンク共用チャネルリソースとは異なるリソース内に配置される第２のサウンディング参照信号を送信するかを前記移動局装置に設定する送信制御情報を含む無線リソース制御信号を前記移動局装置へ通知し、上りリンクグラントにサウンディング参照信号の送信指示を含めて前記移動局装置へ通知し、前記移動局装置は、前記上りリンクグラントに含まれる前記サウンディング参照信号の送信指示を受信した際に、前記送信制御情報によって前記第１のサウンディング参照信号の送信が設定されている場合には、前記第１のサウンディング参照信号を前記基地局装置へ送信し、前記送信制御情報によって前記第２のサウンディング参照信号の送信が設定されている場合には、前記第２のサウンディング参照信号を前記基地局装置へ送信することを特徴とする。
【００２３】
（２）本発明の無線通信システムは、基地局装置と移動局装置とが無線通信を行う無線通信システムであって、前記基地局装置は、物理上りリンク共用チャネルリソース内に配置される第１のサウンディング参照信号を送信するか、前記物理上りリンク共用チャネルリソースとは異なるリソース内に配置される第２のサウンディング参照信号を送信するかを示す制御情報を含む上りリンクグラントを前記移動局装置へ通知し、前記移動局装置は、前記上りリンクグラントに含まれる制御情報に基づいて、前記第１のサウンディング参照信号または前記第２のサウンディング参照信号を前記基地局装置へ送信することを特徴とする。
【００２４】
（３）本発明の無線通信システムは、基地局装置と移動局装置とが無線通信を行う無線通信システムであって、前記基地局装置は、物理上りリンク共用チャネルリソース内に配置される第１のサウンディング参照信号の送信を前記移動局装置に指示する場合は上りリンクグラントに含まれる送信指示情報を第１の値としてセットし、前記物理上りリンク共用チャネルリソースとは異なるリソース内に配置される第２のサウンディング参照信号の送信を前記移動局装置に指示する場合は前記送信指示情報を第２の値としてセットし、前記第１の値または前記第２の値にセットした前記送信指示情報を含む上りリンクグラントを前記移動局装置へ通知し、前記移動局装置は、前記上りリンクグラントに含まれる前記送信指示情報が前記第１の値である場合には、前記第１のサウンディング参照信号を前記基地局装置へ送信し、前記上りリンクグラントに含まれる前記送信指示情報が前記第２の値である場合には、前記第２のサウンディング参照信号を前記基地局装置へ送信することを特徴とする。
【００２５】
（４）本発明の無線通信システムは、基地局装置と移動局装置とが無線通信を行う無線通信システムであって、前記基地局装置は、物理上りリンク共用チャネルリソース内に配置される第１のサウンディング参照信号の送信を前記移動局装置に指示する場合は上りリンクグラントに含まれる１ビットの送信指示情報を所定の値にセットし、前記物理上りリンク共用チャネルリソースとは異なるリソース内に配置される第２のサウンディング参照信号の送信を前記移動局装置に指示する場合は前記上りリンクグラントに含まれる第１の制御情報を所定のコードポイントにセットし、サウンディング参照信号の送信指示を前記送信指示情報または前記第１の制御情報でセットし、前記所定の値にセットされた送信指示情報または前記所定のコードポイントにセットされた第１の制御情報を含む上りリンクグラントを前記移動局装置へ通知し、前記サウンディング参照信号の送信指示を含む上りリンクグラントを前記移動局装置へ通知し、前記移動局装置は、前記上りリンクグラントに含まれる前記送信指示情報が前記サウンディング参照信号の送信指示を示している場合には、前記第１のサウンディング参照信号を前記基地局装置へ送信し、前記上りリンクグラントに含まれる前記第１の制御情報が所定のコードポイントである場合には、前記第２のサウンディング参照信号を前記基地局装置へ送信することを特徴とする。
【００２６】
（５）本発明の無線通信システムは、（１）に記載の無線通信システムであって、前記基地局装置は、前記サウンディング参照信号の送信指示を１ビットの送信指示情報または所定のコードポイントである第１の制御情報でセットすることを特徴とする。
【００２７】
（６）本発明の無線通信システムは、（１）に記載の無線通信システムであって、前記基地局装置は、前記送信制御情報を上りリンクコンポーネントキャリア毎にセットすることを特徴とする。
【００２８】
（７）本発明の無線通信システムは、（４）に記載の無線通信システムであって、前記基地局装置は、
前記第２のサウンディング参照信号のパラメータと前記第１の制御情報を含む上りリンクグラントを前記移動局装置へ通知し、前記移動局装置は、前記上りリンクグラントに従って、前記第１の制御情報が所定のコードポイントである場合には、前記上りリンクグラントに含まれているパラメータを設定した前記第２のサウンディング参照信号を前記基地局装置へ送信することを特徴とする。
【００２９】
（８）本発明の基地局装置は、移動局装置と無線通信を行う基地局装置であって、物理上りリンク共用チャネルリソース内に配置される第１のサウンディング参照信号を送信するか、前記物理上りリンク共用チャネルリソースとは異なるリソース内に配置される第２のサウンディング参照信号を送信するかを前記移動局装置に設定する送信制御情報を含む無線リソース制御信号を前記移動局装置へ通知する手段と、上りリンクグラントにサウンディング参照信号の送信指示を含めて前記移動局装置へ通知する手段と、を少なくとも有することを特徴とする。
【００３０】
（９）本発明の基地局装置は、移動局装置と無線通信を行う基地局装置であって、物理上りリンク共用チャネルリソース内に配置される第１のサウンディング参照信号を送信するか、前記物理上りリンク共用チャネルリソースとは異なるリソース内に配置される第２のサウンディング参照信号を送信するかを示す制御情報を含む上りリンクグラントを前記移動局装置へ通知する手段を少なくとも有することを特徴とする。
【００３１】
（１０）本発明の基地局装置は、移動局装置と無線通信を行う基地局装置であって、物理上りリンク共用チャネルリソース内に配置される第１のサウンディング参照信号の送信を前記移動局装置に指示する場合は上りリンクグラントに含まれる送信指示情報を第１の値としてセットする手段と、前記物理上りリンク共用チャネルリソースとは異なるリソース内に配置される第２のサウンディング参照信号の送信を前記移動局装置に指示する場合は前記送信指示情報を第２の値としてセットする手段と、前記第１の値または前記第２の値にセットした前記送信指示情報を含む上りリンクグラントを前記移動局装置へ通知する手段と、を少なくとも有することを特徴とする。
【００３２】
（１１）本発明の基地局装置は、移動局装置と無線通信を行う基地局装置であって、物理上りリンク共用チャネルリソース内に配置される第１のサウンディング参照信号の送信を前記移動局装置に指示する場合は上りリンクグラントに含まれる１ビットの送信指示情報を所定の値にセットする手段と、前記物理上りリンク共用チャネルリソースとは異なるリソース内に配置される第２のサウンディング参照信号の送信を前記移動局装置に指示する場合は前記上りリンクグラントに含まれる第１の制御情報を所定のコードポイントにセットする手段と、サウンディング参照信号の送信指示を前記送信指示情報または前記第１の制御情報でセットする手段と、前記所定の値にセットされた送信指示情報または前記所定のコードポイントにセットされた第１の制御情報を含む上りリンクグラントを前記移動局装置へ通知する手段と、前記サウンディング参照信号の送信指示を含む上りリンクグラントを前記移動局装置へ通知する手段と、を少なくとも有することを特徴とする。
【００３３】
（１２）本発明の移動局装置は、基地局装置と無線通信を行う移動局装置であって、前記基地局装置から通知された送信制御情報を受信する手段と、前記基地局装置から通知された上りリンクグラントを受信する手段と、前記上りリンクグラントに含まれるサウンディング参照信号の送信指示を受信した際に、前記送信制御情報によって第１のサウンディング参照信号の送信が設定されている場合には、前記第１のサウンディング参照信号を前記基地局装置へ送信する手段と、前記送信制御情報によって第２のサウンディング参照信号の送信が設定されている場合には、前記第２のサウンディング参照信号を前記基地局装置へ送信する手段と、を少なくとも有することを特徴とする。
【００３４】
（１３）本発明の移動局装置は、基地局装置と無線通信を行う移動局装置であって、前記基地局装置から通知された上りリンクグラントを受信する手段と、前記上りリンクグラントに含まれる制御情報に基づいて、第１のサウンディング参照信号または第２のサウンディング参照信号を前記基地局装置へ送信する手段と、を少なくとも有することを特徴とする。
【００３５】
（１４）本発明の移動局装置は、基地局装置と無線通信を行う移動局装置であって、前記基地局装置から通知された上りリンクグラントを受信する手段と、前記上りリンクグラントに含まれる送信指示情報が第１の値である場合には、第１のサウンディング参照信号を前記基地局装置へ送信する手段と、前記上りリンクグラントに含まれる前記送信指示情報が第２の値である場合には、第２のサウンディング参照信号を前記基地局装置へ送信する手段と、を少なくとも有することを特徴とする。
【００３６】
（１５）本発明の移動局装置は、基地局装置と無線通信を行う移動局装置であって、前記基地局装置から通知された上りリンクグラントを受信する手段と、前記上りリンクグラントに含まれる送信指示情報がサウンディング参照信号の送信指示を示している場合には、第１のサウンディング参照信号を前記基地局装置へ送信する手段と、前記上りリンクグラントに含まれる第１の制御情報が所定のコードポイントである場合には、第２のサウンディング参照信号を前記基地局装置へ送信する手段と、を少なくとも有することを特徴とする。
【００３７】
（１６）本発明の無線通信方法は、基地局装置と移動局装置とが無線通信を行う無線通信方法であって、前記基地局装置は、物理上りリンク共用チャネルリソース内に配置される第１のサウンディング参照信号を送信するか、前記物理上りリンク共用チャネルリソースとは異なるリソース内に配置される第２のサウンディング参照信号を送信するかを前記移動局装置に設定する送信制御情報を前記移動局装置へ通知するステップと、上りリンクグラントにサウンディング参照信号の送信指示を含めて前記移動局装置へ通知するステップと、前記移動局装置は、前記上りリンクグラントに含まれる前記サウンディング参照信号の送信指示を受信した際に、前記送信制御情報によって前記第１のサウンディング参照信号の送信が設定されている場合には、前記第１のサウンディング参照信号を前記基地局装置へ送信するステップと、前記送信制御情報によって前記第２のサウンディング参照信号の送信が設定されている場合には、前記第２のサウンディング参照信号を前記基地局装置へ送信するステップと、を少なくとも含むことを特徴とする。
【００３８】
（１７）本発明の無線通信方法は、基地局装置と移動局装置とが無線通信を行う無線通信方法であって、前記基地局装置は、物理上りリンク共用チャネルリソース内に配置される第１のサウンディング参照信号を送信するか、前記物理上りリンク共用チャネルリソースとは異なるリソース内に配置される第２のサウンディング参照信号を送信するかを示す制御情報を含む上りリンクグラントを前記移動局装置へ通知するステップと、前記移動局装置は、前記上りリンクグラントに含まれる制御情報に基づいて、前記第１のサウンディング参照信号または前記第２のサウンディング参照信号を前記基地局装置へ送信するステップと、を少なくとも含むことを特徴とする。
【００３９】
（１８）本発明の無線通信方法は、基地局装置と移動局装置とが無線通信を行う無線通信方法であって、前記基地局装置は、物理上りリンク共用チャネルリソース内に配置される第１のサウンディング参照信号の送信を前記移動局装置に指示する場合は上りリンクグラントに含まれる送信指示情報を第１の値としてセットするステップと、前記物理上りリンク共用チャネルリソースとは異なるリソース内に配置される第２のサウンディング参照信号の送信を前記移動局装置に指示する場合は前記送信指示情報を第２の値としてセットするステップと、前記第１の値または前記第２の値にセットした前記送信指示情報を含む上りリンクグラントを前記移動局装置へ通知するステップと、前記移動局装置は、前記上りリンクグラントに含まれる前記送信指示情報が前記第１の値である場合には、前記第１のサウンディング参照信号を前記基地局装置へ送信するステップと、前記上りリンクグラントに含まれる前記送信指示情報が前記第２の値である場合には、前記第２のサウンディング参照信号を前記基地局装置へ送信するステップと、を少なくとも含むことを特徴とする。
【００４０】
（１９）本発明の無線通信方法は、基地局装置と移動局装置とが無線通信を行う無線通信方法であって、前記基地局装置は、物理上りリンク共用チャネルリソース内に配置される第１のサウンディング参照信号の送信を前記移動局装置に指示する場合は上りリンクグラントに含まれる１ビットの送信指示情報を所定の値にセットするステップと、前記物理上りリンク共用チャネルリソースとは異なるリソース内に配置される第２のサウンディング参照信号の送信を前記移動局装置に指示する場合は前記上りリンクグラントに含まれる第１の制御情報を所定のコードポイントにセットするステップと、サウンディング参照信号の送信指示を前記送信指示情報または前記第１の制御情報でセットするステップと、前記所定の値にセットされた送信指示情報または前記所定のコードポイントにセットされた第１の制御情報を含む上りリンクグラントを前記移動局装置へ通知するステップと、前記サウンディング参照信号の送信指示を含む上りリンクグラントを前記移動局装置へ通知するステップと、前記移動局装置は、前記上りリンクグラントに含まれる前記送信指示情報が前記サウンディング参照信号の送信指示を示している場合には、前記第１のサウンディング参照信号を前記基地局装置へ送信するステップと、前記上りリンクグラントに含まれる前記第１の制御情報が所定のコードポイントである場合には、前記第２のサウンディング参照信号を前記基地局装置へ送信するステップと、を少なくとも含むことを特徴とする。
【００４１】
（２０）本発明の集積回路は、基地局装置に実装されることにより、前記基地局装置に複数の機能を発揮させる集積回路であって、物理上りリンク共用チャネルリソース内に配置される第１のサウンディング参照信号を送信するか、前記物理上りリンク共用チャネルリソースとは異なるリソース内に配置される第２のサウンディング参照信号を送信するかを移動局装置に設定する送信制御情報を前記移動局装置へ通知する機能と、上りリンクグラントにサウンディング参照信号の送信指示を含めて前記移動局装置へ通知する機能と、を前記基地局装置に発揮させることを特徴とする。
【００４２】
（２１）本発明の集積回路は、基地局装置に実装されることにより、前記基地局装置に複数の機能を発揮させる集積回路であって、物理上りリンク共用チャネルリソース内に配置される第１のサウンディング参照信号を送信するか、前記物理上りリンク共用チャネルリソースとは異なるリソース内に配置される第２のサウンディング参照信号を送信するかを示す制御情報を含む上りリンクグラントを移動局装置へ通知する機能を前記基地局装置に発揮させることを特徴とする。
【００４３】
（２２）本発明の集積回路は、基地局装置に実装されることにより、前記基地局装置に複数の機能を発揮させる集積回路であって、物理上りリンク共用チャネルリソース内に配置される第１のサウンディング参照信号の送信を前記移動局装置に指示する場合は上りリンクグラントに含まれる送信指示情報を第１の値としてセットする機能と、前記物理上りリンク共用チャネルリソースとは異なるリソース内に配置される第２のサウンディング参照信号の送信を移動局装置に指示する場合は前記送信指示情報を第２の値としてセットする機能と、前記第１の値または前記第２の値にセットした前記送信指示情報を含む上りリンクグラントを前記移動局装置へ通知する機能と、を前記基地局装置に発揮させることを特徴とする。
【００４４】
（２３）本発明の集積回路は、基地局装置に実装されることにより、前記基地局装置に複数の機能を発揮させる集積回路であって、物理上りリンク共用チャネルリソース内に配置される第１のサウンディング参照信号の送信を移動局装置に指示する場合は上りリンクグラントに含まれる１ビットの送信指示情報を所定の値にセットする機能と、前記物理上りリンク共用チャネルリソースとは異なるリソース内に配置される第２のサウンディング参照信号の送信を前記移動局装置に指示する場合は前記上りリンクグラントに含まれる第１の制御情報を所定のコードポイントにセットする機能と、サウンディング参照信号の送信指示を前記送信指示情報または前記第１の制御情報でセットする機能と、前記所定の値にセットされた送信指示情報または前記所定のコードポイントにセットされた第１の制御情報を含む上りリンクグラントを前記移動局装置へ通知する機能と、前記サウンディング参照信号の送信指示を含む上りリンクグラントを前記移動局装置へ通知する機能と、を前記基地局装置に発揮させることを特徴とする。
【００４５】
（２４）本発明の集積回路は、移動局装置に実装されることにより、前記移動局装置に複数の機能を発揮させる集積回路であって、基地局装置から通知された送信制御情報を受信する機能と、前記基地局装置から通知された上りリンクグラントを受信する機能と、前記上りリンクグラントに含まれるサウンディング参照信号の送信指示を受信した際に、前記送信制御情報によって第１のサウンディング参照信号の送信が設定されている場合には、前記第１のサウンディング参照信号を前記基地局装置へ送信する機能と、前記送信制御情報によって第２のサウンディング参照信号の送信が設定されている場合には、前記第２のサウンディング参照信号を前記基地局装置へ送信する機能と、を前記移動局装置に発揮させることを特徴とする。
【００４６】
（２５）本発明の集積回路は、移動局装置に実装されることにより、前記移動局装置に複数の機能を発揮させる集積回路であって、基地局装置から通知された上りリンクグラントを受信する機能と、前記上りリンクグラントに含まれる制御情報に基づいて、第１のサウンディング参照信号または第２のサウンディング参照信号を前記基地局装置へ送信する機能と、を前記移動局装置に発揮させることを特徴とする。
【００４７】
（２６）本発明の集積回路は、移動局装置に実装されることにより、前記移動局装置に複数の機能を発揮させる集積回路であって、基地局装置から通知された上りリンクグラントを受信する機能と、前記上りリンクグラントに含まれる送信指示情報が第１の値である場合には、第１のサウンディング参照信号を前記基地局装置へ送信する機能と、前記上りリンクグラントに含まれる前記送信指示情報が第２の値である場合には、第２のサウンディング参照信号を前記基地局装置へ送信する機能と、を前記移動局装置に発揮させることを特徴とする。
【００４８】
（２７）本発明の集積回路は、移動局装置に実装されることにより、前記移動局装置に複数の機能を発揮させる集積回路であって、基地局装置から通知された上りリンクグラントを受信する機能と、前記上りリンクグラントに含まれる送信指示情報がサウンディング参照信号の送信指示を示している場合には、第１のサウンディング参照信号を前記基地局装置へ送信する機能と、前記上りリンクグラントに含まれる第１の制御情報が所定のコードポイントである場合には、第２のサウンディング参照信号を前記基地局装置へ送信する機能と、を前記移動局装置に発揮させることを特徴とする。
【発明の効果】
【００４９】
本発明によれば、移動局装置から送信されるＡ−ＳＲＳに基づいて、基地局装置と移動局装置との間で効率的な通信を行うことができる移動局装置、基地局装置、無線通信システム、無線通信方法および集積回路を提供することができる。
【図面の簡単な説明】
【００５０】
【図１】本発明の基地局装置１の概略機能構成を示すブロック図である。
【図２】本発明の移動局装置３の概略機能構成を示すブロック図である。
【図３】インバンドＡ−ＳＲＳ（第１のＡ−ＳＲＳ）とアウトバンドＡ−ＳＲＳ（第２のＡ−ＳＲＳ）の概略構成を示す図である。
【図４】第１の実施形態におけるＡ−ＳＲＳの送信指示を含むＤＣＩフォーマットの一例を示す図である。
【図５】第２の実施形態におけるＡ−ＳＲＳの送信指示を含むＤＣＩフォーマットの一例を示す図である。
【図６】第３の実施形態におけるＡ−ＳＲＳの送信指示を含むＤＣＩフォーマットの一例を示す図である。
【図７】従来の技術における周波数帯域集約の例を示す図である。
【図８】従来の技術における非対称周波数帯域集約の例を示す図である。
【図９】ＳＲＳのリソース割り当てと周波数ホッピング（FH: Frequency Hopping）の概略構成を示す図である。
【発明を実施するための形態】
【００５１】
本発明の実施形態の具体的な説明に入る前に、本発明で用いられる通信技術の概要について簡単に説明する。
【００５２】
（物理チャネル）
本発明に使用される物理チャネルには、物理報知チャネル（PBCH: Physical Broadcast Channel）、物理下りリンク共用チャネル（PDSCH: Physical Downlink Shared Channel）、物理下りリンク制御チャネル（PDCCH: Physical Downlink Control Channel）、下りリンク参照信号（DL-RS: Downlink Reference Signal、またはCell-specific Reference Signal）、物理上りリンク共用チャネル（PUSCH: Physical Uplink Shared Channel）、物理上りリンク制御チャネル（PUCCH: Physical Uplink Control Channel）、物理ランダムアクセスチャネル（PRACH: Physical Random Access Channel）、上りリンク参照信号（UL-RS: Uplink Reference Signal）などが含まれる。なお、異なる物理チャネルの種類が追加されても後述する本発明の実施形態は適用できる。
【００５３】
物理報知チャネルは、セル内の移動局装置に対して共通に用いられる制御パラメータ（報知情報）を通知する目的で送信される。ＰＢＣＨで通知されない報知情報は、ＰＤＣＣＨでリソースが通知され、物理下りリンク共用チャネルを用いて送信される。報知情報として、セル個別のＩＤ（Identity）を示すセルグローバルＩＤなどが通知される。ＰＢＣＨは、４０ミリ秒間隔で報知チャネル（BCH: Broadcast Channel）がマッピングされる。４０ミリ秒のタイミングは、移動局装置においてブラインド検出（blind detection）される。すなわち、ＰＢＣＨのタイミング提示のために、移動局装置に対して明示的なシグナリングは送信されない。また、ＰＢＣＨを含むサブフレームは、そのサブフレームだけで復号できる（自己復号可能：self-decodable）。
【００５４】
物理下りリンク制御チャネルは、基地局装置から移動局装置へ送信される下りリンクチャネルであり、ＰＤＳＣＨのリソース割り当て、下りリンクデータ（DL-SCH: Downlink-Shared Channel、下りリンク共用チャネル）に対するハイブリッド自動再送要求（HARQ: Hybrid Automatic Repeat reQuest）情報から構成される下りリンクアサインメント（Downlink Assignment）、および、物理上りリンク共用チャネル（PUSCH: Physical Uplink Shared Channel）のリソース割り当て、上りリンクデータ（UL-SCH: Uplink-Shared Channel、上りリンク共用チャネル）に対するＨＡＲＱ情報である上りリンク送信許可（上りリンクグラント: Uplink Grant）などの下りリンク制御情報（DCI）を移動局装置に通知するために使用されるチャネルである。また、ＰＤＣＣＨは、複数の制御チャネル要素（CCE: Control Channel Element）から構成され、移動局装置は、ＣＣＥから構成されるＰＤＣＣＨを検出することにより基地局装置からのＰＤＣＣＨを受信する。このＣＣＥは、周波数、時間領域において分散している複数のリソースエレメントグループ（REG: Resource Element Group、mini-CCEとも呼称する）によって構成される。ここでリソースエレメントとは１ＯＦＤＭシンボル（時間成分）、１サブキャリア（周波数成分）で構成される単位リソースである。
【００５５】
物理下りリンク制御チャネルで送信される下りリンク制御情報には複数のフォーマットが用意される。下りリンク制御情報（DCI: Downlink Control Information）のフォーマットをＤＣＩフォーマット（DCI format）と呼ぶ。例えば、上りリンクグラントのＤＣＩフォーマットは、移動局装置３がＰＵＳＣＨを１つの送信アンテナポートで送信する場合に用いるＤＣＩフォーマット０、移動局装置３がＰＵＳＣＨをＭＩＭＯ（Multiple Input Multiple Output）を利用した空間多重（SM: Spatial Multiplexing）で送信する場合に用いるＤＣＩフォーマット０Ａなどが用意される。
【００５６】
また、下りリンクアサインメントのＤＣＩフォーマットは、基地局装置がＰＤＳＣＨを１つの送信アンテナポートまたは複数の送信アンテナポートで送信ダイバーシティ方式を用いて送信する場合に用いるＤＣＩフォーマット１、およびＤＣＩフォーマット１よりもビット数の少ないＤＣＩフォーマット１Ａ、およびページング情報などの無線リソース割り当てに用いられるＤＣＩフォーマット１Ａよりも更にビット数の少ないＤＣＩフォーマット１Ｃ、基地局装置がＭＩＭＯを利用したＳＭでＰＤＳＣＨを送信する場合に用いるＤＣＩフォーマット２などが用意されている。ＤＣＩフォーマット０とＤＣＩフォーマット１Ａは、ビット数の少ないほうにビットを挿入することで、この２つのＤＣＩフォーマットのサイズを同じにし、フォーマットを識別するためのフラグ（Flag for format 0 / format 1A differentiation）を含める。
【００５７】
具体的に、上りリンクグラントであるＤＣＩフォーマット０は、ＰＤＣＣＨフォーマット識別（Flag for format 0 / format 1A differentiation）情報、周波数ホッピングフラグ（Frequency hopping flag）、リソースブロック配置とホッピングリソース割り当て（Resource block assignment and hopping resource allocation）情報、変調符号化方式とリダンダンシーバージョン（Modulation and coding scheme and redundancy version）情報、ＮＤＩ（New Data Indicator）情報、スケジュールされたＰＵＳＣＨに対する送信電力制御コマンド（TPC command for scheduled PUSCH）情報、ＤＭ−ＲＳのサイクリックシフト（Cyclic shift for DM-RS）情報、ＣＱＩ送信指示（CQI request）情報、パディングビット（0 padding）情報、巡回冗長検査（CRC: Cyclic Redundancy Check）情報などの制御情報（フィールド、制御情報フィールド、情報フィールド、ビットフィールドとも呼称する）から構成される。
【００５８】
ＰＤＣＣＨフォーマット識別情報は、この下りリンク制御情報のＤＣＩフォーマットの種類、つまりＤＣＩフォーマット０かＤＣＩフォーマット１Ａかを示す情報である。リソースブロック配置とホッピングリソース割り当て情報は、ＰＵＳＣＨのリソースブロック配置とホッピングする場合のリソースの割り当てを示す情報である。変調符号化方式とリダンダンシーバージョン情報は、ＰＵＳＣＨの変調方式および符号化率およびリダンダンシーバージョンを示す情報である。ＮＤＩ情報は、ＰＵＳＣＨが初期送信か再送信かを示す情報である。ＰＵＳＣＨの送信電力制御コマンド情報は、ＰＵＳＣＨの送信電力制御に用いる情報である。ＤＭ−ＲＳのサイクリックシフト情報は、ＤＭ−ＲＳのサイクリックシフトを示す情報である。パディングビット（0 padding）情報は、ＤＣＩフォーマット０とＤＣＩフォーマット１Ａのサイズを同じにするために挿入されるビットであり、値は“０”にセットされる。ＣＱＩ送信指示情報は、基地局装置がＣＱＩを要求した場合に、ＰＵＳＣＨリソースを利用してＣＱＩを配置し、基地局装置へダイナミックに送信することを移動局装置に指示することができる。この時のＣＱＩは非周期的なＣＱＩ（A-CQI: Aperiodic CQI）とも呼称される。
【００５９】
具体的に、下りリンクアサインメントであるＤＣＩフォーマット１Ａは、ＰＤＣＣＨフォーマット識別（Flag for format 0 / format 1A differentiation）情報、仮想リソースブロック（VRB: Virtual Resource Block）の集中配置／分散配置識別（Localized / Distributed VRB assignment flag）情報、リソースブロック配置（Resource Block assignment）情報、変調符号化方式（MCS: Modulation and Coding Scheme）情報、ＨＡＲＱプロセス番号（HARQ process number）情報、ＮＤＩ（New Data Indicator）情報、リダンダンシーバージョン（RV: Redundancy Version）情報、ＰＵＣＣＨの送信電力制御（TPC: Transmission Power Control）コマンド情報、パディングビット（0 padding）情報、巡回冗長検査（CRC: Cyclic Redundancy Check）情報などの制御情報（フィールド、制御情報フィールド、情報フィールド、ビットフィールドとも呼称する）から構成される。
【００６０】
ＰＤＣＣＨフォーマット識別情報は、この下りリンク制御情報のＤＣＩフォーマットの種類、つまりＤＣＩフォーマット０かＤＣＩフォーマット１Ａかを示す情報である。仮想リソースブロックの集中配置／分散配置識別情報は、リソースブロック配置情報で示された仮想リソースブロックを実際のリソースブロックに対応付ける方法（集中配置または分散配置）を示す情報である。リソースブロック配置情報は、ＰＤＳＣＨに割り当てた仮想リソースブロックを示す情報である。変調符号化方式情報は、ＰＤＳＣＨの変調方式および符号化率およびＰＤＳＣＨで送信する下りリンクデータの量に関する情報である。ＨＡＲＱプロセス番号（HARQ process number）情報は、ＤＣＩフォーマット１Ａが対応するＰＤＳＣＨで送信される下りリンクデータが、いずれの番号のＨＡＲＱプロセスに対応するかを示す情報である。ＮＤＩ情報は、ＰＤＳＣＨが初期送信か再送信かを示す情報である。リダンダンシーバージョン情報は、下りリンクデータが符号化されたビット系列のうち、ビット系列のどの部分が送信されているかを示す情報である。ＰＵＣＣＨの送信電力制御コマンドは、ＰＵＣＣＨの送信電力制御に用いられる情報である。パディングビット（0 padding）情報は、ＤＣＩフォーマット０とＤＣＩフォーマット１Ａのサイズを同じにするために挿入されるビットであり、値は“０”にセットされる。
【００６１】
複数の移動局装置に対するグループスケジューリングに使用されるＤＣＩフォーマットは、複数の移動局装置によって受信される必要があるため、全ての移動局装置がＰＤＣＣＨの検索（検出）を試みる共通検索領域（CSS: Common Search Space）に配置される。ここで、ある移動局装置宛のＰＤＣＣＨは、ある移動局装置がＰＤＣＣＨの検索（検出）を試みる移動局装置固有検索領域（USS: User equipment specific Search Space）および共通探索領域に配置される。
【００６２】
基地局装置は、ＤＣＩを基に生成したＣＲＣ符号をＲＮＴＩ（Radio Network Temporary Identity）でスクランブル（Scramble）した系列をＤＣＩに付与して、移動局装置へ送信する。移動局装置は、ＣＲＣ符号がいずれかのＲＮＴＩでスクランブルされているかに応じて、ＤＣＩの解釈を変更する。例えば、移動局装置は、ＤＣＩが、基地局装置から割り当てられたＣ−ＲNＴＩ（Cell-RNTI）またはＳＰＳ（Semi Persistent Scheduling）Ｃ−ＲＮＴＩによってＣＲＣ符号がスクランブルされていた場合には、自装置宛のＤＣＩだと判断する。
【００６３】
ＰＤＣＣＨは、移動局装置毎、種別毎に別々に符号化（Separate Coding）される。すなわち、移動局装置は、複数のＰＤＣＣＨを検出して、下りリンクのリソース割り当てや上りリンクリソース割り当てやその他の制御情報を取得する。各ＰＤＣＣＨには、ＲＮＴＩでスクランブルされたＣＲＣの値が付与されており、移動局装置は、ＰＤＣＣＨが構成される可能性のあるＣＣＥのセットをそれぞれに対してＲＮＴＩでスクランブルされたＣＲＣのデスクランブル（スクランブルの解除）を行い、ＣＲＣの値を取得する。そして、取得したＣＲＣの値を用いてＣＲＣを行い、ＣＲＣが成功したＰＤＣＣＨを自装置宛のＰＤＣＣＨとして取得する。なお、自装置へ割り当てられたＲＮＴＩを用いて他装置へ割り当てられたＲＮＴＩでスクランブルされたＣＲＣのデスクランブルを行った場合には、正しいＣＲＣの値を取得できないため、自装置宛のＰＤＣＣＨと認識しない。これは、ブラインド検出とも呼称され、移動局装置がブラインド検出を行う可能性のあるＣＣＥのセットの範囲は、検索領域（Search Space）と呼称される。すなわち、移動局装置は、検索領域内のＣＣＥに対してブラインド検出を行い、自装置宛のＰＤＣＣＨの検出を行う。
【００６４】
物理下りリンク共用チャネルは、下りリンクデータ（DL-SCH: Downlink-Shared Channel、下りリンク共用チャネルとも呼称する）またはページング情報を送信するために使用されるチャネルである。
【００６５】
下りリンク参照信号は、基地局装置から移動局装置へ下りリンクを利用して送信される。移動局装置は下りリンク参照信号を測定することで下りリンクの受信品質を判定する。受信品質は、品質情報指標であるチャネル品質指標（CQI: Channel Quality Indicator）としてＰＵＣＣＨまたはＰＵＳＣＨを用いて基地局装置へ通知される。基地局装置は移動局装置から通知されたＣＱＩに基づいて、移動局装置に対する下りリンク通信のスケジューリングを行う。なお、受信品質としては、信号対干渉電力比（SIR: Signal-to-Interference Ratio）、信号対干渉雑音電力比（SINR: Signal-to-Interference plus Noise Ratio）、信号対雑音電力比（SNR: Signal-to-Noise Ratio）、搬送波対干渉電力比（CIR: Carrier-to-Interference Ratio）、ブロック誤り率（BLER: Block Error Rate）、パスロス（PL: Pathloss）などを使用することができる。
【００６６】
物理上りリンク共用チャネルは、主に上りリンクデータ（UL-SCH: Uplink Shared Channel、上りリンク共用チャネル）を送信するために使用されるチャネルである。基地局装置が、移動局装置をスケジューリングした場合には、チャネル状態情報（下りリンクのチャネル品質指標（CQI: Channel Quality Indicator）、プレコーディングマトリックス指標（PMI: Precoding Matrix Indicator）、ランク指標（RI: Rank Indicator））や下りリンク送信に対するＨＡＲＱの肯定応答（ACK: Acknowledgement）／否定応答（NACK: Negative Acknowledgement）もＰＵＳＣＨを使用して送信される。ここで、上りリンクデータ（UL-SCH）とは、例えば、ユーザデータの送信を示しており、ＵＬ−ＳＣＨは、トランスポートチャネルである。ＵＬ−ＳＣＨでは、ＨＡＲＱ、動的適応無線リンク制御がサポートされ、また、ビームフォーミングが利用可能である。ＵＬ−ＳＣＨは、動的（ダイナミック）なリソース割り当ておよび準静的なリソース割り当てがサポートされる。
【００６７】
物理上りリンク制御チャネルは、上りリンク制御情報（UCI: Uplink Control Information）を送信するために使用されるチャネルである。ここで、ＵＣＩ（制御データとも呼称する）とは、例えば、移動局装置から基地局装置へ送信（フィードバック）されるチャネル状態情報（ＣＱＩ、ＰＭＩ、ＲＩ）、移動局装置が、上りリンクデータを送信するためのリソースの割り当てを要求する（ＵＬ−ＳＣＨでの送信を要求する）スケジューリング要求（SR: Scheduling Request）、下りリンク送信に対するＨＡＲＱのＡＣＫ／ＮＡＣＫなどが含まれる。
【００６８】
上りリンク参照信号は、移動局装置から基地局装置へ送信される。ＵＬ−ＲＳには、サウンディング参照信号（SRS: Sounding Reference Signal）とデモジュレーション参照信号（DM-RS: Demodulation Reference Signal）とがある。チャネル測定用の参照信号であるＳＲＳは、基地局装置が測定することで、移動局装置の上りリンク無線送信信号の受信品質の判断をし、受信品質に基づく上りリンクのスケジューリングや上りリンクタイミング同期の調整に用いられる。また、ＤＭ−ＲＳは、ＰＵＳＣＨまたはＰＵＣＣＨと共に送信され、ＰＵＳＣＨまたはＰＵＣＣＨの信号の振幅、位相や周波数の変動量を計算し、ＰＵＳＣＨまたはＰＵＣＣＨを利用して送信された信号を復調するための参照信号としても使用される。
【００６９】
ＤＭ−ＲＳの送信帯域幅は、ＰＵＳＣＨまたはＰＵＣＣＨの送信帯域幅と一致するが、ＳＲＳの送信帯域幅は、ＤＭ−ＲＳとは独立に設定される。すなわち、ＳＲＳの送信帯域幅はＰＵＳＣＨまたはＰＵＣＣＨの送信帯域幅と必ずしも一致せず、基地局装置によって予め設定される。また、ＳＲＳは、時間軸方向に対して周波数ホッピングが適用される。ＳＲＳは、周波数ホッピングを用いることで周波数ダイバーシティ効果と干渉の平均化効果が得られる。また、ＳＲＳは、無線リソースを周波数軸方向に分散配置（櫛状（コーム）配置：Transmission Combとも呼称する）される。例えば、周波数軸方向に１サブキャリア置きに無線リソースを配置することができ、複数の移動局装置は、コームの位置（例えば、コーム０とコーム１）を変えて配置することによって、同じ送信タイミングでＳＲＳを周波数分割多元接続（FDMA: Frequency Division Multiple Access）を行うことができる。
【００７０】
Ａ−ＳＲＳは、基地局装置が送信を要求した場合に送信されるチャネル測定用の参照信号であり、Ａ−ＳＲＳを送信するサブフレームは、基地局装置によってＰＤＣＣＨを使用して設定されても良いし、無線リソース制御信号を使用して設定されても良い。また、Ａ−ＳＲＳを送信するサブフレームは、基地局装置によって報知チャネルを使用して設定されても良い。ここで、無線リソース制御信号は、例えば、１００ミリ秒から２００ミリ秒程度の間隔で送信される。
【００７１】
また、Ｐ−ＳＲＳは、基地局装置が予め設定した送信周期に応じて送信されるチャネル測定用の参照信号であり、Ｐ−ＳＲＳを送信するサブフレームは、基地局装置によって無線リソース制御信号を使用して設定されても良いし、報知チャネルを使用して設定されても良い。また、Ａ−ＳＲＳとＰ−ＳＲＳそれぞれの送信周期や送信帯域幅などのＳＲＳのパラメータに関する設定情報（SRS configuration）は、基地局装置で予め設定されてから無線リソース制御信号に含まれて移動局装置に送信されても良い。
【００７２】
また、ＳＲＳを送信するサブフレームであるＳＲＳサブフレーム（Ａ−ＳＲＳ、Ｐ−ＳＲＳを送信するサブフレームそれぞれ）は、セル毎に設定しても良いし、移動局装置毎に設定しても良い。Ａ−ＳＲＳとＰ−ＳＲＳを送信するサブフレームは、同じサブフレームを使用して送信しても良いし、異なるサブフレームを使用して送信しても良い。例えば、基地局装置は、Ａ−ＳＲＳを送信するサブフレームを移動局装置毎に設定し、Ｐ−ＳＲＳを送信するサブフレームをセル毎に設定しても良い。ここで、セル毎に設定されたＳＲＳサブフレームをセル固有ＳＲＳサブフレーム、移動局装置毎に設定されたＳＲＳサブフレームを移動局装置固有ＳＲＳサブフレームと呼称する。また、異なる例として、基地局装置は、Ｐ−ＳＲＳを送信するサブフレームをセル毎に設定し、Ｐ−ＳＲＳを送信するサブフレームの一部をＡ−ＳＲＳを送信するサブフレームとしてセル毎または移動局装置毎に設定しても良い。
【００７３】
また、Ａ―ＳＲＳには、ＰＵＳＣＨリソースを利用して配置されるインバンドＡ−ＳＲＳ（Inband A-SRS）とＰＵＳＣＨとは独立に送信帯域幅などのパラメータが設定される（すなわち、上述したＳＲＳ設定情報で設定される）アウトバンドＡ−ＳＲＳ（Outband A-SRS）がある。インバンドＡ−ＳＲＳは、第１のＡ−ＳＲＳとも呼称され、上りリンクグラントに第１のＡ−ＳＲＳの送信指示が含まれている場合には、常にＰＵＳＣＨを伴って基地局装置へ送信される。すなわち、第１のＡ−ＳＲＳは、常にＰＵＳＣＨと同一サブフレームで送信される。第１のＡ−ＳＲＳは、通信環境が劣悪なセルエッジなどにおける通信特性を改善することができる。
【００７４】
すなわち、基地局装置は、ＰＵＳＣＨに対するリソース割り当て情報と第１のＡ−ＳＲＳの送信指示を含む上りリンクグラントを移動局装置へ送信し、移動局装置は、基地局装置によって割り当てられたＰＵＳＣＨリソース内に第１のＡ−ＳＲＳを配置して基地局装置へ送信する。
【００７５】
アウトバンドＡ−ＳＲＳは、第２のＡ−ＳＲＳとも呼称され、Ｐ−ＳＲＳのようにＰＵＳＣＨとは独立に送信帯域幅などのパラメータが設定され、必ずしもＰＵＳＣＨを伴って基地局装置に送信される必要はない。第２のＡ−ＳＲＳは、ＰＵＳＣＨとは独立に送信することが可能であるため、ＰＵＳＣＨが配置される周波数帯域とは異なる周波数帯域に配置することができ、動的（ダイナミック）な周波数選択スケジューリングに利用することができる。
【００７６】
すなわち、基地局装置は、移動局装置が第２のＡ−ＳＲＳを送信するためのパラメータ（例えば、送信帯域幅やリソースなど）を移動局装置へ設定する。基地局装置は、第２のＡ−ＳＲＳの送信指示を含む上りリンクグラントを移動局装置へ送信し、移動局装置は、基地局装置によって設定されたリソース内に第２のＡ−ＳＲＳを配置して基地局装置へ送信する。すなわち、移動局装置は、基地局装置からの上りリンクグラントによって割り当てられるＰＵＳＣＨリソースとは異なるリソース内に、第２のＡ−ＳＲＳを配置して基地局装置へ送信する。基地局装置は、移動局装置が、第２のＡ−ＳＲＳを配置するリソースをＰＵＳＣＨリソースとは独立に設定する。
【００７７】
図３は、インバンドＡ−ＳＲＳ（第１のＡ−ＳＲＳ）とアウトバンドＡ−ＳＲＳ（第２のＡ−ＳＲＳ）の概略構成を示す図である。同図（ａ）は、第１のＡ−ＳＲＳの概略構成を示している。第１のＡ−ＳＲＳは、例えば、ＰＵＳＣＨと同じ送信帯域幅で設定され、ＰＵＳＣＨリソースに含まれている。また、第１のＡ−ＳＲＳは、必ずＰＵＳＣＨを伴って基地局装置へ送信される。第１のＡ−ＳＲＳとＰ−ＳＲＳが同じタイミングで送信される場合には、予め異なるコームに配置して同じタイミングで送信されるように設定されても良いし、Ｐ−ＳＲＳの送信タイミングとは異なるタイミングで送信されても良い。すなわち、第１のＡ−ＳＲＳを配置するシンボルは、必ずしもＳＲＳシンボルである必要はないため、第１のＡ−ＳＲＳを配置するシンボルは、ＰＵＳＣＨが配置されるシンボルのいずれかであっても良い。ここで、第１のＡ−ＳＲＳを配置するシンボルは、予めシステムで一意に決定されていても良いし、報知情報として基地局装置から移動局装置に一斉に通知されても良いし、基地局装置から個別の移動局装置へ通知されても良い。
【００７８】
同図（ｂ）は、第２のＡ−ＳＲＳの概略構成を示している。第２のＡ−ＳＲＳは、第１のＡ−ＳＲＳとは異なり、ＰＵＳＣＨとは独立にパラメータが設定する。そのため、周波数選択スケジューリングを行うために必要な広い送信帯域幅を設定することができる。また、第２のＡ−ＳＲＳは、ＰＵＳＣＨとは独立に（異なるリソース内に）配置することができるため、必ずしもＰＵＳＣＨと同一サブフレームで送信する必要はない。すなわち、移動局装置３は、ＰＵＳＣＨ（ＵＬ−ＳＣＨデータ）を伴わずに第２のＡ−ＳＲＳを基地局装置へ送信しても良いため、基地局装置は、スケジューリングによってＰＵＳＣＨリソースを第２のＡ−ＳＲＳを送信しない他の移動局装置に割り当てることができ、システム全体で周波数利用効率を向上させることができる。Ｐ−ＳＲＳと第２のＡ−ＳＲＳが同じタイミングで送信する場合には、第２のＡ−ＳＲＳを送信するように設定しても良いし、Ｐ−ＳＲＳを送信するように設定しても良い。また、異なるコームを設定してＰ−ＳＲＳと第２のＡ−ＳＲＳを同じタイミングで送信するように設定しても良い。ここで、同じタイミングとは、シンボル単位で送信タイミングが同じことを指している。
【００７９】
物理ランダムアクセスチャネルは、ランダムアクセスプリアンブルを送信するために使用される物理チャネルであり、ガードタイムを持つ。ＰＲＡＣＨは、移動局装置が基地局装置と同期をとることを最大の目的とし、その他に、初期アクセス、ハンドオーバ、再接続要求、およびスケジューリング要求に用いられる。
【００８０】
スケジューリング要求は、移動局装置が基地局装置に対して、ＰＵＳＣＨのリソースの割り当てを要求する情報である。移動局装置は、自装置のバッファに送信する情報データが溜まってきて、ＰＵＳＣＨのリソース割り当てを要求する場合に、ＳＲを送信する。また、移動局装置は、予め基地局装置より割り当てられたＰＵＣＣＨを用いて、ＳＲを基地局装置に送信する。なお、基地局装置は、移動局装置との通信接続開始時に、その移動局装置がＳＲを配置するための周期的なリソースを割り当てる。
【００８１】
（ＳＲＳのリソース割り当ておよび周波数ホッピング）
図９は、ＳＲＳのリソース割り当てと周波数ホッピング（FH: Frequency Hopping）の概略構成を示す図である。同図において横軸は時間であり、縦軸は周波数である。同図左側は、ＳＲＳのリソース割り当ての一例を示している。同図左側の例において、時間軸方向に１４個のシンボル（symbol）が並んでいる。７個のシンボルが１スロット（slot）に相当し、１スロットの長さは０．５ミリ秒（ms）である。また、１４個のシンボル（２スロットに相当）が１サブフレームに相当し、１サブフレームの長さは１ミリ秒である。このように１サブフレームが１４シンボルで構成される上りリンク信号において、ＳＲＳは１４番目のシンボル（ＳＲＳシンボルとも呼称する）に配置される。１４番目のシンボルに配置されるＳＲＳのリソース（周波数軸方向の帯域幅）は、上りリンクシステム帯域幅や移動局装置の送信電力に応じて、基地局装置で設定される。また、ＰＲＡＣＨは送信するメッセージの種類やフォーマットに応じて、帯域幅や時間シンボル長を変更して割り当てることができる。ＤＭ−ＲＳは、１サブフレームが１４シンボルで構成される場合、４番目と１１番目のシンボル（ＤＭ−ＲＳシンボルとも呼称する）に配置され、ＤＭ−ＲＳの送信帯域幅は、ＰＵＳＣＨの送信帯域幅と一致する。
【００８２】
また、時間軸方向に対しては、送信する度に周波数位置を変更する周波数ホッピングが適用される。同図右側は、ＳＲＳの周波数ホッピングの一例を示す。同図右側において、送信周期Ｔ毎にＳＲＳが送信されるが、図に示すように、周期Ｔ毎に（つまりＳＲＳを送信する度に）周波数方向にホッピングを行う。移動局装置は、ＳＲＳ設定情報の１つであるホッピング帯域幅がＳＲＳ送信帯域幅よりも広い帯域幅に設定された場合に周波数ホッピングを適用することができる。
【００８３】
［基地局装置の構成］
図１は、本発明の基地局装置１の概略機能構成を示すブロック図である。基地局装置１は、送信部１０１と、受信部１０３と、スケジューリング部１０５と、上位層１０７と、チャネル推定部１０８と、アンテナ１０９とを含んでいる。送信部１０１は、データ制御部１０１１と、変調部１０１３と、無線送信部１０１５とを含んでいる。また、受信部１０３は、無線受信部１０３１と、復調部１０３３と、データ抽出部１０３５とを含んでいる。
【００８４】
データ制御部１０１１は、ユーザデータと制御データとを入力し、スケジューリング部１０５からの指示により、制御データをＰＤＣＣＨに配置し、移動局装置３に対する送信データや制御データをＰＤＳＣＨに配置する。変調部１０１３は、データ変調、入力信号の直列／並列変換、ＩＦＦＴ、ＣＰ挿入、フィルタリングなどの信号処理を行い、送信信号を生成する。無線送信部１０１５は、変調されたデータを無線周波数にアップコンバードした後に、アンテナ１０９を介して、移動局装置３に送信する。また、送信部１０１は、スケジューリング部１０５の指示により、第１から第３の制御情報をＰＤＣＣＨに含めて移動局装置３に送信する。
【００８５】
無線受信部１０３１は、移動局装置３からの上りリンクの信号を受信し、ベースバンド信号にダウンコンバートして、受信データを復調部１０３３に出力する。データ抽出部１０３５は、受信データの正誤を確認し、確認結果をスケジューリング部１０５に通知する。データ抽出部１０３５は、受信データが正しい場合、受信データをユーザデータと制御データに分離する。データ抽出部１０３５は、制御データの中で下りリンクのチャネル品質指示情報、下りリンクデータの成／否（ACK/NACK）などの第２層の制御データはスケジューリング部１０５に出力し、その他の第３層等の制御データとユーザデータは上位層１０７に出力する。データ抽出部１０３５は、受信データが誤りの場合、再送データと合成するために保存しておき、再送データを受信した時に合成処理を行う。
【００８６】
スケジューリング部１０５は、ユーザデータや制御データをＰＤＳＣＨやＰＤＣＣＨに配置するためのスケジューリングを行う。また、スケジューリング部１０５は、上位層１０７からの指示によりＡ−ＳＲＳの送信指示をＰＤＣＣＨ（ＤＣＩフォーマット）に含めて送信するように送信部１０１に指示を出す。
【００８７】
上位層１０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層１０７は、下位層の処理部を統合して制御するため、上位層１０７と、スケジューリング部１０５、チャネル推定部１０８、アンテナ１０９、送信部１０１、受信部１０３との間のインターフェースが存在する（ただし、図示しない）。
【００８８】
上位層１０７は、無線リソース制御部１０７１（制御部とも言う）を有している。また、無線リソース制御部１０７１は、各種設定情報の管理、システム情報の管理、ページング制御、各移動局装置の通信状態の管理、ハンドオーバなどの移動管理、移動局装置毎のバッファ状況の管理、ユニキャストおよびマルチキャストベアラの接続設定の管理、移動局識別子（UEID、またはRNTI（Radio Network Temporary Identifier）とも呼称する）の管理などを行っている。また、上位層１０７は、別の基地局装置への情報および上位ノードへの情報の授受を行う。また、上位層１０７は、ＳＲＳの送信帯域幅などのパラメータをＳＲＳ設定情報として設定および管理を行い、移動局装置３へＳＲＳ設定情報を無線リソース制御信号に含めて通知するようにスケジューリング部１０５に指示する。また、ＳＲＳ設定情報には、Ｐ−ＳＲＳのパラメータだけでなく、Ａ−ＳＲＳ（第１のＡ−ＳＲＳ、第２のＡ−ＳＲＳそれぞれ）のパラメータを含んで通知しても良い。また、上位層１０７は、必要に応じて上りリンクのチャネル測定を行いたい場合には、Ａ−ＳＲＳの送信をスケジューリング部１０５に指示する。また、上位層１０７は、チャネル推定部１０８より得られた上りリンク信号のチャネル推定値に基づいて、移動局装置３の通信環境を判断し、ＰＵＳＣＨの最適なリソース割り当てを行う。また、上位層１０７は、移動局装置３の通信環境を考慮して、最適なＡ−ＳＲＳ送信を移動局装置３に指示することができる。ＰＵＳＣＨリソースを利用する第１のＡ−ＳＲＳとＰＵＳＣＨとは独立にパラメータ等が設定される第２のＡ−ＳＲＳの送信切り替えを移動局装置３に指示するため、スケジューリング部１０５に第１のＡ−ＳＲＳと第２のＡ−ＳＲＳの送信切り替えを指示する情報をスケジューリング情報に含めて出力する。
【００８９】
また、スケジューリング部１０５は、上りリンクのスケジューリングでは、チャネル推定部１０８が出力する上りリンクのチャネル状態（無線伝搬路状態）の推定結果、移動局装置３からのリソース割り当て要求、移動局装置３の使用可能なＰＲＢの情報、上位層１０７から入力されたスケジューリング情報などに基づいて、各データを変調するための上りリンクのトランスポートフォーマット（送信形態、すなわち、物理リソースブロックの割り当ておよび変調方式および符号化方式など）の選定処理および上りリンクのスケジューリングに使用されるスケジューリング情報の生成を行う。これら上りリンクのスケジューリングに使用されるスケジューリング情報をデータ制御部１０１１へ出力する。また、上位層１０７から第１または第２のＡ−ＳＲＳの送信を指示された場合には、スケジューリング情報を再設定して、データ制御部１０１１へ出力する。
【００９０】
また、スケジューリング部１０５は、上位層１０７から入力された下りリンクの論理チャネルをトランスポートチャネルにマッピングし、データ制御部１０１１へ出力する。また、スケジューリング部１０５は、データ抽出部１０３５から入力された上りリンクで取得した制御データとトランスポートチャンネルを、必要に応じて処理した後、上りリンクの論理チャネルにマッピングし、上位層１０７へ出力する。
【００９１】
チャネル推定部１０８は、上りリンクデータの復調のために、デモジュレーション参照信号から上りリンクのチャネル状態を推定し、その推定結果を復調部１０３３に出力する。また、上りリンクのスケジューリングを行なうために、サウンディング参照信号から上りリンクのチャネル状態を推定し、その推定結果をスケジューリング部１０５に出力する。
【００９２】
［移動局装置の構成］
図２は、本発明の移動局装置３の概略機能構成を示すブロック図である。移動局装置３は、送信部２０１と、受信部２０３と、スケジューリング部２０５と、参照信号生成部２０６と、上位層２０７と、アンテナ２０９とを含んでいる。送信部２０１は、データ制御部２０１１と、変調部２０１３と、無線送信部２０１５とを含んでいる。また、受信部２０３は、無線受信部２０３１と、復調部２０３３と、データ抽出部２０３５とを含んでいる。
【００９３】
ユーザデータと制御データは、上位層２０７からデータ制御部２０１１に入力される。データ制御部２０１１は、入力されたデータをスケジューリング部２０５からの指示により、ＰＵＳＣＨやＰＵＣＣＨに配置する。変調部２０１３は、ＰＵＳＣＨやＰＵＣＣＨのデータ変調を行い、無線送信部２０１５に出力する。無線送信部２０１５は、変調されたデータと上りリンク参照信号を離散フーリエ変換（DFT: Discrete Fourier Transform）、サブキャリアマッピング、逆高速フーリエ変換（IFFT: Inverse Fast Fourier Transform）、ＣＰ（Cyclic Prefix）挿入、フィルタリングなどの信号処理を行い、送信信号を生成し、無線周波数にアップコンバートした後に、アンテナ２０９を介して、基地局装置１に送信する。
【００９４】
無線受信部２０３１は、基地局装置１からの下りリンク信号を受信し、ベースバンド信号にダウンコンバートして、受信信号を復調部２０３３に出力する。復調部２０３３は、受信データを復調する。データ抽出部２０３５は、受信データをユーザデータと制御データに分離する。また、データ抽出部２０３５は、スケジューリング情報、ランダムアクセス応答メッセージや間欠受信制御に関する制御データやその他の第２層の制御データはスケジューリング部２０５に出力し、ユーザデータを上位層２０７に出力する。また、データ抽出部２０３５は、ＰＤＣＣＨ（ＤＣＩフォーマット）に含まれている制御情報のコードポイントを検出し、上位層２０７に出力する。
【００９５】
スケジューリング部２０５は、データ抽出部２０３５から入力された制御データを解析し、上りリンクのスケジューリング情報を生成し、そのスケジューリング情報を基に、ユーザデータや制御データをＰＵＳＣＨやＰＵＣＣＨに割り当てることをデータ制御部２０１１に指示する。
【００９６】
また、スケジューリング部２０５は、参照信号制御部２０５１を含んでいる。参照信号制御部２０５１は、基地局装置１から送信されたスケジューリング情報を基に、ＳＲＳ設定情報を取り出す。また、ＳＲＳとＰＵＳＣＨやＰＵＣＣＨが同じタイミングで生じた場合の送信制御を行い、ＳＲＳ送信制御情報を生成する。参照信号制御部２０５１は、ＳＲＳ設定情報とＳＲＳ送信制御情報を参照信号生成部２０６に出力する。ここで、ＳＲＳ設定情報とは、ＳＲＳの送信帯域幅や送信周期などのパラメータを設定するための情報である。ＳＲＳ送信制御情報とは、ＳＲＳと他の上りリンクチャネル（ＰＵＳＣＨ、ＰＵＣＣＨ）が同じサブフレームに割り当てられた時のＳＲＳの送信制御方法を示した情報である。例えば、ＳＲＳとＰＵＣＣＨが同じサブフレームで生じた場合、ＳＲＳを送信しないという処理を移動局装置３が行うように指示するための情報である。
【００９７】
スケジューリング部２０５は、上りリンクのスケジューリングでは、上位層２０７から入力された上りリンクのバッファ状況、データ抽出部２０７から入力された基地局装置１からの上りリンクのスケジューリング情報（トランスポートフォーマットやＨＡＲＱ再送情報など）、および、上位層２０８から入力されたスケジューリング情報などに基づいて、上位層２０７から入力された上りリンクの論理チャネルをトランスポートチャネルにマッピングするためのスケジューリング処理および上りリンクのスケジューリングに使用されるスケジューリング情報の生成を行う。なお、上りリンクのトランスポートフォーマットについては、基地局装置１から通知された情報を利用する。これらスケジューリング情報は、データ制御部２０１１へ出力される。
【００９８】
また、スケジューリング部２０５は、上位層２０７から入力された上りリンクの論理チャネルをトランスポートチャネルにマッピングし、データ制御部２０１１へ出力する。また、スケジューリング部２０５は、チャネル推定部２０８から入力されたＣＳＩや、ＣＱＩや、ＰＭＩや、ＲＩや、データ抽出部２０７から入力されたＣＲＣチェックの確認結果についても、データ制御部２０１１へ出力する。また、スケジューリング部２０５は、データ抽出部２０３５から入力された下りリンクで取得した制御データとトランスポートチャネルを、必要に応じて処理した後、下りリンクの論理チャネルにマッピングし、上位層２０７へ出力する。
【００９９】
チャネル推定部２０８は、下りリンクデータの復調のために、ＤＬ−ＲＳから下りリンクのチャネル状態を推定し、その推定結果を復調部２０３３に出力する。また、チャネル推定部２０８は、基地局装置１に下りリンクのチャネル状態（無線伝搬路状態、ＣＳＩ、ＣＱＩ、ＰＭＩ、ＲＩ）の推定結果を通知するために、下りリンク参照信号から下りリンクのチャネル状態を推定し、この推定結果を、例えば、ＣＳＩや、ＣＱＩや、ＰＭＩや、ＲＩとして、スケジューリング部２０５に出力する。
【０１００】
参照信号生成部２０６は、参照信号制御部２０５１から入力されたＳＲＳ設定情報およびＳＲＳ送信制御情報を基に、ＳＲＳ（Ａ−ＳＲＳ、Ｐ−ＳＲＳ）を生成し、無線送信部２０１５に出力する。
【０１０１】
上位層２０７は、媒体アクセス制御（MAC: Medium Access Control）層、無線リンク制御（RLC: Radio Link Control）層、パケットデータ収束プロトコル（PDCP: Packet Data Convergence Protocol）層、無線リソース制御（RRC: Radio Resource Control）層の処理を行う。上位層２０７は、下位層の処理部を統合して制御するため、上位層２０７と、スケジューリング部２０５、チャネル推定部２０８、アンテナ２０９、送信部２０１、受信部２０３との間のインターフェースが存在する（ただし、図示しない）。
【０１０２】
上位層２０７は、無線リソース制御部２０７１（制御部とも言う）を有している。無線リソース制御部２０７１は、各種設定情報の管理、システム情報の管理、ページング制御、自局の通信状態の管理、ハンドオーバなどの移動管理、バッファ状況の管理、ユニキャストおよびマルチキャストベアラの接続設定の管理、移動局識別子（UEID）の管理を行う。また、上位層２０７は、基地局装置１から送信された無線リソース制御信号からＳＲＳ設定情報を取り出し、ＳＲＳのパラメータを設定する。また、受信したＤＣＩフォーマットからＡ−ＳＲＳの送信指示が含まれている場合には、Ａ−ＳＲＳの送信を考慮したスケジューリング情報を再設定し、スケジューリング部２０５へ出力する。また、上位層２０７は、基地局装置１からのＡ−ＳＲＳ送信指示に従って、第１のＡ−ＳＲＳまたは第２のＡ−ＳＲＳをセットし、スケジューリング部２０５にスケジューリング情報として出力する。
【０１０３】
＜第１の実施形態＞
本発明の第１の実施形態について以下に説明する。第１の実施形態では、基地局装置は、物理上りリンク共用チャネルリソース内に配置される第１のサウンディング参照信号を送信するか、物理上りリンク共用チャネルリソースとは異なるリソース内に配置される第２のサウンディング参照信号を送信するかを移動局装置に設定する送信制御情報を移動局装置へ通知し、上りリンクグラントにサウンディング参照信号の送信指示を含めて移動局装置へ通知する。移動局装置は、上りリンクグラントに含まれサウンディング参照信号の送信指示を受信した際に、送信制御情報によって第１のサウンディング参照信号の送信が設定されている場合には、第１のサウンディング参照信号を基地局装置へ送信し、送信制御情報によって第２のサウンディング参照信号の送信が設定されている場合には、第２のサウンディング参照信号を基地局装置へ送信する。
【０１０４】
第１の実施形態では、基地局装置１が、無線リソース制御信号（ＲＲＣシグナリング）でＡ−ＳＲＳを配置する無線リソースを決定（制御）する。すなわち、基地局装置１は、移動局装置３に対して、第１のＡ−ＳＲＳを、上りリンクグラントによって割り当てたＰＵＳＣＨリソース内に配置して送信することを、ＲＲＣシグナリングを使用して指示することができる。また、基地局装置１は、移動局装置３に対して、第２のＡ−ＳＲＳを、（ＰＵＳＣＨリソースとは独立に）設定したリソース内に配置して基地局装置へ送信することを、ＲＲＣシグナリングを使用して指示することができる。すなわち、基地局装置１は、移動局装置３に対して、Ａ−ＳＲＳを、ＰＵＳＣＨリソース内に配置して送信するのか、（ＰＵＳＣＨリソースとは独立に）設定したリソース内に配置して送信するのかを、ＲＲＣシグナリングを使用して指示することができる。
【０１０５】
例えば、基地局装置１は、移動局装置３の通信環境の変化に応じて、無線リソース制御信号（ＲＲＣシグナリング）でＡ−ＳＲＳを配置する無線リソースを決定（制御）する。例えば、基地局装置１は、移動局装置３の通信環境が悪くなったと判断した場合には、移動局装置３に対してＰＵＳＣＨリソースを利用して配置する第１のＡ−ＳＲＳの送信を指示し、移動局装置３の通信環境が良くなったと判断した場合には、ＰＵＳＣＨとは独立にパラメータが設定される広帯域の送信帯域幅の第２のＡ−ＳＲＳを送信するように移動局装置３に指示することができる。また、例えば、基地局装置１は、移動局装置３がセルエッジにいると判断した場合には、移動局装置３に対してＰＵＳＣＨリソース内に配置される第１のＡ−ＳＲＳの送信を指示し、移動局装置３がセルセンターにいると判断した場合には、ＰＵＳＣＨとは独立にパラメータが設定される（ＰＵＳＣＨとは異なるリソース内に配置される）広帯域の送信帯域幅の第２のＡ−ＳＲＳを送信するように移動局装置３に指示することができる。ここで、基地局装置１は、複数の上りリンクコンポーネントキャリアを用いて通信を行う移動局装置３に対しては、どちらのＡ−ＳＲＳを使用して送信を行うかを予め上りリンクコンポーネントキャリア毎に設定しても良いし、移動局装置毎に同じＡ−ＳＲＳ（第１のＡ−ＳＲＳまたは第２のＡ−ＳＲＳのいずれか一方）を設定しても良い。
【０１０６】
図４は、第１の実施形態におけるＡ−ＳＲＳの送信指示を含むＤＣＩフォーマットの一例を示す図である。同図（ａ）に記載のＤＣＩフォーマット（上りリンクグラント）は、どの上りリンクコンポーネントキャリアから上りリンク信号を送信するか（ＤＣＩフォーマットによってスケジュールされたＰＵＳＣＨがどの上りリンクコンポーネントキャリアに配置しているのか）を示すキャリア指標（CI: Carrier Indicator）情報、ＰＤＣＣＨフォーマット識別（Flag for format 0 / format 1A differentiation）情報、周波数ホッピングフラグ（Frequency hopping flag）、リソースブロック配置とホッピングリソース割り当て（Resource block assignment and hopping resource allocation）情報、変調符号化方式とリダンダンシーバージョン（Modulation and coding scheme and redundancy version）情報、ＮＤＩ（New Data Indicator）情報、スケジュールされたＰＵＳＣＨに対する送信電力制御コマンド（TPC command for scheduled PUSCH）情報、ＤＭ−ＲＳのサイクリックシフト（Cyclic shift for DM-RS）情報、ＣＱＩ送信指示（ＣＱＩリクエスト：CQI requestとも呼称する）情報、パディングビット（0 padding）情報、巡回冗長検査（CRC: Cyclic Redundancy Check）情報、（Ａ−ＳＲＳの送信を指示するために定義された、例えば、１ビットで表される）Ａ−ＳＲＳの送信指示（SRS activation, SRS request, trigger for SRS transmission）情報から構成されていることを示している。
【０１０７】
同図（ａ）において、Ａ−ＳＲＳの送信指示が上りリンクグラントに含まれている場合には、移動局装置３は、基地局装置１から通知された無線リソース制御信号に従って、第１のＡ−ＳＲＳか第２のＡ−ＳＲＳを基地局装置１へ送信する。すなわち、移動局装置３は、上りリンクグラントに含まれるＡ−ＳＲＳの送信指示用として定義されたフィールドが、所定の値（例えば、“１”）にセットされている場合には、あるサブフレームにおいて、Ａ−ＳＲＳを基地局装置１へ送信する。
【０１０８】
同図（ｂ）は、ＤＣＩフォーマットにＡ−ＳＲＳ送信指示情報が含まれていない場合のＡ−ＳＲＳの送信指示方法を示している。同図（ｂ）において、周波数ホッピングフラグとパディングビット情報が所定のコードポイント（所定の値）である場合には、移動局装置３は、Ａ−ＳＲＳの送信指示が通知されたと認識し、基地局装置１へＡ−ＳＲＳを送信する。
【０１０９】
また、同図において、上りリンクグラントに含まれるＣＱＩの送信指示も設定されていた（例えば、ＣＱＩリクエストが“１”にセットされていた）場合には、ＣＱＩとＡ−ＳＲＳを同一サブフレームで基地局装置１へ送信する。ここで、移動局装置３は、ＰＵＳＣＨにＣＱＩとＵＬ−ＳＣＨデータ（Uplink Shared Channel data、UL-SCHに対するトランスポートブロック）を配置して、Ａ−ＳＲＳとともに、同一サブフレームで基地局装置１へ送信する。
【０１１０】
ここで、この時、Ａ−ＳＲＳ（第１のＡ−ＳＲＳ、第２のＡ−ＳＲＳそれぞれ）に適用するサイクリックシフトは、Ｐ−ＳＲＳと同じでも良いし、ＤＭ−ＲＳのサイクリックシフトと関連付けて定義されても良いし、予めシステムで一意に決定されていても良いし、報知情報として基地局装置１から移動局装置３に一斉に通知されても良いし、基地局装置１から個別の移動局装置３へ通知されても良い。また、基地局装置１より予めＡ−ＳＲＳ（第１のＡ−ＳＲＳ、第２のＡ−ＳＲＳそれぞれ）の送信回数や送信タイマーが設定され、無線リソース制御信号等を用いて移動局装置３へ通知された場合には、移動局装置３は、送信回数や送信タイマーが満了に達するまでＡ−ＳＲＳを基地局装置１へ送信する。
【０１１１】
また、第２のＡ−ＳＲＳのパラメータは、Ｐ−ＳＲＳと同じであっても良いし、予めシステムで一意に決定されていても良いし、報知情報として基地局装置１から移動局装置３に一斉に通知されても良いし、基地局装置１から個別の移動局装置３へ通知されても良い。第１のＡ−ＳＲＳと第２のＡ−ＳＲＳに異なるサイクリックシフトを適用しても良い。例えば、第１のＡ−ＳＲＳのサイクリックシフトは同じサブフレームで送信されるＤＭ−ＲＳのサイクリックシフトと同じサイクリックシフトにし、第２のＡ−ＳＲＳのサイクリックシフトは基地局装置１から移動局装置３毎に無線リソース制御信号で通知されても良い。また、第１のＡ−ＳＲＳと第２のＡ−ＳＲＳのサイクリックシフトは、ＤＭ−ＲＳのサイクリックシフトに適用されるパラメータ（例えば、ＤＭ−ＲＳのサイクリックシフトインデックス、ＤＭ−ＲＳのサイクリックシフト情報）に対応付けて個別に異なる値を適用しても良いし、同じ値を適用しても良い。すなわち、基地局装置１は、第１のＡ−ＳＲＳのサイクリックシフトと第２のＡ−ＳＲＳのサイクリックシフトをＤＭ−ＲＳのサイクリックシフトに適用されるパラメータに対応付けて設定することができ、移動局装置３は、ＤＭ−ＲＳに適用されるパラメータから第１のＡ−ＳＲＳと第２のＡ−ＳＲＳに適用されるサイクリックシフトを一律に（機械的に）設定することができる。
【０１１２】
＜第２の実施形態＞
次に本発明の第２の実施形態について以下に説明する。第２の実施形態では、基地局装置は、物理上りリンク共用チャネルリソース内に配置される第１のサウンディング参照信号の送信を移動局装置に指示する場合は上りリンクグラントに含まれる送信指示情報を第１の値としてセットし、物理上りリンク共用チャネルリソースとは異なるリソース内に配置される第２のサウンディング参照信号の送信を移動局装置に指示する場合は送信指示情報を第２の値としてセットし、第１の値または第２の値にセットした送信指示情報を含む上りリンクグラントを移動局装置へ通知する。移動局装置は、上りリンクグラントに含まれる送信指示情報が第１の値である場合には、第１のサウンディング参照信号を基地局装置へ送信し、上りリンクグラントに含まれる送信指示情報が第２の値である場合には、第２のサウンディング参照信号を基地局装置へ送信する。
【０１１３】
第２の実施形態では、ＤＣＩフォーマット（上りリンクグラント）に２ビット以上の複数ビット（ビット系列）で構成されるＡ−ＳＲＳ送信指示情報を追加することで、Ａ−ＳＲＳ送信指示情報に示されたビット系列（所定の値）に応じて、第１のＡ−ＳＲＳと第２のＡ−ＳＲＳの送信を動的（ダイナミック）に切り替えることができる。すなわち、基地局装置１は、必要に応じて、ダイナミックに移動局装置３のＡ−ＳＲＳの送信方法を制御することができ、最適なチャネル測定を行うことができるため、基地局装置と移動局装置との間において、効率的な通信を行うことができる。
【０１１４】
すなわち、基地局装置１は、移動局装置３に対して、第１のＡ−ＳＲＳを、上りリンクグラントによって割り当てたＰＵＳＣＨリソース内に配置して送信することを、Ａ−ＳＲＳ送信指示情報を使用して指示することができる。また、基地局装置１は、移動局装置３に対して、第２のＡ−ＳＲＳを、（ＰＵＳＣＨリソースとは独立に）設定したリソース内に配置して基地局装置へ送信することを、Ａ−ＳＲＳ送信指示情報を使用して指示することができる。すなわち、基地局装置１は、移動局装置３に対して、Ａ−ＳＲＳを、ＰＵＳＣＨリソース内に配置して送信するのか、（ＰＵＳＣＨリソースとは独立に）設定したリソース内に配置して送信するのかを、Ａ−ＳＲＳ送信指示情報を使用して指示することができる。
【０１１５】
図５は、第２の実施形態におけるＡ−ＳＲＳの送信指示を含むＤＣＩフォーマットの一例である。同図（ａ）に記載のＤＣＩフォーマットは、図４（ａ）に記載のＤＣＩフォーマットと構成は同じであるが、Ａ−ＳＲＳ送信指示情報が２ビット以上の複数ビットで構成されている。Ａ―ＳＲＳ送信指示情報が複数ビットで構成されることでダイナミックに第１のＡ−ＳＲＳと第２のＡ−ＳＲＳの送信指示を切り替えることができる。
【０１１６】
同図（ａ）は、ＤＣＩフォーマットにＡ−ＳＲＳ送信指示（SRS activation）情報が追加された場合の制御情報の構成を示している。例えば、Ａ−ＳＲＳ送信指示情報が２ビットで構成される場合、“００”がＡ−ＳＲＳの送信停止、“０１”が第１のＡ−ＳＲＳ送信、“１０”が第２のＡ−ＳＲＳ送信を示している。また、同図（ｂ）のように、Ａ−ＳＲＳ送信指示情報が“１１”であった場合、ＤＣＩフォーマットに含まれる制御情報を別の制御情報であると認識し、例えば、Ａ−ＳＲＳ送信指示情報以外の制御情報を第２のＡ−ＳＲＳの送信帯域幅やサイクリックシフトなど第２のＡ−ＳＲＳのパラメータを指示する設定情報（SRS configurations for 2nd A-SRS）であると認識し、その設定情報に基づいたパラメータを設定した第２のＡ−ＳＲＳを送信するように設定することができる。移動局装置３は、第１のＡ−ＳＲＳと第２のＡ−ＳＲＳとをダイナミックに切り替えてＡ−ＳＲＳ送信を行うことができる。ここで、設定情報に含まれる第２のＡ−ＳＲＳのパラメータ（SRS configurations for 2nd A-SRS）には、移動局装置３が第２のＡ−ＳＲＳを送信する際の送信帯域幅（ＳＲＳ送信帯域幅）が含まれる。また、第２のＡ−ＳＲＳのパラメータには、移動局装置間または信号間の直交性を維持するために使用されるサイクリックシフトが含まれる。また、第２のＡ−ＳＲＳのパラメータには、第２のＡ−ＳＲＳを配置する周波数位置を示す情報が含まれる。また、第２のＡ−ＳＲＳのパラメータには、第２のＡ−ＳＲＳの送信を満了するための送信回数または送信停止時間が含まれる。また、第２のＡ−ＳＲＳのパラメータには、第２のＡ−ＳＲＳを送信するアンテナポート（アンテナインデックス）が含まれる。また、第２のＡ−ＳＲＳのパラメータには、ＭＩＭＯのように複数のアンテナを同時に使用してＡ−ＳＲＳの送信を行うか否かを示す複数アンテナ同時送信フラグが含まれる。また、第２のＡ−ＳＲＳのパラメータには、第２のＡ−ＳＲＳに対するＴＰＣコマンド（送信電力制御情報）が含まれる。また、これらの第２のＡ−ＳＲＳのパラメータのうち、どのパラメータが使用されるかについては、予めシステムで一意に決定されていても良いし、報知情報として基地局装置１から移動局装置３に一斉に通知されても良いし、基地局装置１から個別の移動局装置３へ通知されても良い。
【０１１７】
＜第３の実施形態＞
次に本発明の第３の実施形態について以下に説明する。第３の実施形態では、基地局装置は、物理上りリンク共用チャネルリソース内に配置される第１のサウンディング参照信号の送信を移動局装置に指示する場合は上りリンクグラントに含まれる１ビットの送信指示情報を所定の値にセットし、物理上りリンク共用チャネルリソースとは異なるリソース内に配置される第２のサウンディング参照信号の送信を移動局装置に指示する場合は前記上りリンクグラントに含まれる第１の制御情報を所定のコードポイントにセットし、サウンディング参照信号の送信指示を前記送信指示情報または前記第１の制御情報でセットし、所定の値にセットされた送信指示情報または所定のコードポイントにセットされた第１の制御情報を含む上りリンクグラントを移動局装置へ通知し、サウンディング参照信号の送信指示を含む上りリンクグラントを移動局装置へ通知する。移動局装置は、上りリンクグラントに含まれる送信指示情報がサウンディング参照信号の送信指示を示している場合には、第１のサウンディング参照信号を基地局装置へ送信し、上りリンクグラントに含まれる第１の制御情報が所定のコードポイントである場合には、第２のサウンディング参照信号を基地局装置へ送信する。
【０１１８】
第３の実施形態では、基地局装置１は、移動局装置３に第１のＡ−ＳＲＳの送信指示を１ビットの送信指示情報（SRS activation for 1st A-SRS）で通知し、第２のＡ−ＳＲＳの送信指示を所定のコードポイントである第１の制御情報で通知する。すなわち、基地局装置１は、移動局装置３に対して、第１のＡ−ＳＲＳを、上りリンクグラントによって割り当てたＰＵＳＣＨリソース内に配置して送信することを、１ビットの送信指示情報を使用して指示することができる。また、基地局装置１は、移動局装置３に対して、第２のＡ−ＳＲＳを、（ＰＵＳＣＨリソースとは独立に）設定したリソース内に配置して基地局装置へ送信することを、所定のコードポイントである第１の制御情報（所定の値にセットした所定の制御情報）を使用して指示することができる。ここで、ＤＣＩフォーマット（上りリンクグラント）に含まれるどの制御情報を所定の制御情報（第１の制御情報）とし、所定の制御情報が、どのような値にセットされている場合に基地局装置１によって第２のＡ−ＳＲＳの送信が指示されるのかについては、仕様等によって予め規定される。
【０１１９】
ここで、第２のＡ−ＳＲＳの送信を第１の制御情報で通知する場合、第１の制御情報以外の制御情報フィールドは、他の制御情報を示すために使用されても良い。例えば、基地局装置１は、第１の制御情報以外の制御情報フィールドに第２のＡ−ＳＲＳのパラメータとして移動局装置３に対して割り当てることができる。第２のＡ−ＳＲＳのパラメータ（SRS configurations for 2nd A-SRS）には、移動局装置３が第２のＡ−ＳＲＳを送信する際の送信帯域幅（ＳＲＳ送信帯域幅）が含まれる。また、第２のＡ−ＳＲＳのパラメータには、移動局装置間または信号間の直交性を維持するために使用されるサイクリックシフトが含まれる。また、第２のＡ−ＳＲＳのパラメータには、第２のＡ−ＳＲＳを配置する周波数位置を示す情報が含まれる。また、第２のＡ−ＳＲＳのパラメータには、第２のＡ−ＳＲＳの送信を満了するための送信回数または送信停止時間が含まれる。また、第２のＡ−ＳＲＳのパラメータには、第２のＡ−ＳＲＳを送信するアンテナポート（アンテナインデックス）が含まれる。また、第２のＡ−ＳＲＳのパラメータには、ＭＩＭＯのように複数のアンテナを同時に使用してＡ−ＳＲＳの送信を行うか否かを示す複数アンテナ同時送信フラグが含まれる。また、第２のＡ−ＳＲＳのパラメータには、第２のＡ−ＳＲＳに対するＴＰＣコマンド（送信電力制御情報）が含まれる。また、これらの第２のＡ−ＳＲＳのパラメータのうち、どのパラメータが使用されるかについては、予めシステムで一意に決定されていても良いし、報知情報として基地局装置１から移動局装置３に一斉に通知されても良いし、基地局装置１から個別の移動局装置３へ通知されても良い。
【０１２０】
第３の実施形態では、基地局装置１は、移動局装置３の通信環境に応じて、第２のＡ―ＳＲＳの送信帯域幅や送信タイミング、サイクリックシフトなどのパラメータをダイナミックに変更し、他の移動局装置への干渉を軽減することができ、フレキシブルなＳＲＳ配置を行うことができ、通信品質を向上させることができる。
【０１２１】
また、第２のＡ−ＳＲＳの送信指示を誤検出の少ない所定のコードポイントである第１の制御情報を用いて制御することで不必要な第２のＡ−ＳＲＳの送信を低減でき、第２のＡ−ＳＲＳの誤送信による他の移動局装置がＳＲＳへの干渉の影響を低減できる。
【０１２２】
図６は、第３の実施形態におけるＡ−ＳＲＳの送信指示を含むＤＣＩフォーマットの一例を示す図である。同図（ａ）に記載のＤＣＩフォーマット（上りリンクグラント）は、どの上りリンクコンポーネントキャリアから上りリンク信号を送信するか（ＤＣＩフォーマットによってスケジュールされたＰＵＳＣＨがどの上りリンクコンポーネントキャリアに配置しているのか）を示すキャリア指標（CI: Carrier Indicator）情報、ＰＤＣＣＨフォーマット識別（Flag for format 0 / format 1A differentiation）情報、周波数ホッピングフラグ（Frequency hopping flag）、リソースブロック配置とホッピングリソース割り当て（Resource block assignment and hopping resource allocation）情報、変調符号化方式とリダンダンシーバージョン（Modulation and coding scheme and redundancy version）情報、ＮＤＩ（New Data Indicator）情報、スケジュールされたＰＵＳＣＨに対する送信電力制御コマンド（TPC command for scheduled PUSCH）情報、ＤＭ−ＲＳのサイクリックシフト（Cyclic shift for DM-RS）情報、ＣＱＩ送信指示（ＣＱＩリクエスト：CQI requestとも呼称する）情報、パディングビット（0 padding）情報、巡回冗長検査（CRC: Cyclic Redundancy Check）情報、（Ａ−ＳＲＳの送信を指示するために定義された、例えば、１ビットで表される）Ａ−ＳＲＳの送信指示（SRS activation, SRS request, trigger for SRS transmission）情報から構成されていることを示している。
【０１２３】
同図（ａ）において、Ａ−ＳＲＳの送信指示が設定された場合、移動局装置３は、ＰＵＳＣＨとＡ−ＳＲＳを同一サブフレームで基地局装置１へ送信する。すなわち、移動局装置３は、上りリンクグラントに含まれるＡ−ＳＲＳの送信指示用として定義されたフィールドが、例えば、“１”にセットされている場合には、あるサブフレームにおいて、ＰＵＳＣＨとＡ−ＳＲＳをともに基地局装置１へ送信する。また、この時、上りリンクグラントに含まれるＣＱＩの送信指示も設定されていた（例えば、ＣＱＩリクエストが“１”にセットされていた）場合には、ＣＱＩとＡ−ＳＲＳを同一サブフレームで基地局装置１へ送信する。ここで、移動局装置３は、ＰＵＳＣＨにＣＱＩとＵＬ−ＳＣＨデータ（Uplink Shared Channel data、UL-SCHに対するトランスポートブロック）を配置して、Ａ−ＳＲＳとともに、同一サブフレームで基地局装置１へ送信する。
【０１２４】
また、この時、基地局装置１は、移動局装置３に対して、ＣＱＩのみの送信（ＵＬ−ＳＣＨデータを伴わないＣＱＩの送信、上りリンク制御情報のみの送信）を指示することができる。例えば、基地局装置１は、上りリンクグラントの所定の情報を所定の値にセットする（所定のコートポイントを設定する）ことによって、移動局装置３に対して、ＣＱＩのみの送信を指示することができる。例えば、基地局装置１は、上りリンクグラントに含まれるリソースブロック配置とＭＣＳ情報とＣＱＩリクエストを所定の値にセットして移動局装置３へ通知することによって、移動局装置３に対して、ＣＱＩのみの送信を指示することができる。基地局装置１から（例えば、１ビットで示される）Ａ−ＳＲＳの送信指示と、ＣＱＩのみの送信を指示する所定のコードポイントに設定された所定の情報を通知された移動局装置３は、ＰＵＳＣＨにＣＱＩのみを配置し（ＵＬ−ＳＣＨデータを伴わずにＣＱＩを配置し）、Ａ−ＳＲＳとともに、同一サブフレームで基地局装置１へ送信する。
【０１２５】
同図（ｂ）は、例として、周波数ホッピングフラグとリソースブロック配置とホッピングリソース割り当て情報を所定のコードポイントとする場合を示している。すなわち、第１の制御情報（所定の情報）が周波数ホッピングフラグとリソースブロック配置とホッピングリソース割り当て情報で構成される場合を示している。第１の制御情報が所定のコードポイントである時、移動局装置３は、Ａ−ＳＲＳを基地局装置１へ送信する。すなわち、移動局装置３は、所定の情報として事前に規定した周波数ホッピングフラグとリソースブロック配置とホッピングリソース割り当て情報（第１の制御情報）が所定の値にセットされている場合には、あるサブフレームにおいて、ＰＵＳＣＨを伴わずにＡ−ＳＲＳのみを基地局装置１へ送信する。
【０１２６】
図６では、ＤＣＩフォーマット（上りリンクグラント）に含まれる制御情報としてＡ−ＳＲＳ送信指示情報が予め定義されている。また、Ａ−ＳＲＳ送信指示情報以外の制御情報を用いてＡ−ＳＲＳの送信指示を行うことができる。その方法として、第１の制御情報が所定のコードポイント（所定の値）である場合には、移動局装置３は、第２のＡ−ＳＲＳの送信が指示されたと認識する。また、この時、基地局装置１は、Ａ−ＳＲＳ送信指示情報を、別の制御情報を示すためのフィールドとして再利用することもできる。移動局装置３は、第１の制御情報に使用されていない制御情報については他の制御情報（例えば、Ａ−ＳＲＳ設定情報）として読み替えることができる。
【０１２７】
ここで、基地局装置１が、Ａ−ＳＲＳの送信を１ビットの送信指示情報によって指示するとは、基地局装置１は、上りリンクグラントに含まれるＡ−ＳＲＳの送信を指示する情報（Ａ−ＳＲＳ送信指示情報）を移動局装置３に通知することによって、移動局装置３に対して、Ａ−ＳＲＳの送信を指示することを示している。例えば、基地局装置１は、上りリンクグラントに含まれるＡ−ＳＲＳの送信を指示する情報を“１”にセットして移動局装置３へ通知することによって、移動局装置３に対して、Ａ−ＳＲＳの送信を指示することができる。すなわち、基地局装置１は、Ａ−ＳＲＳの送信を指示するために定義された制御情報を、所定の値（例えば、“１”）にセットして移動局装置３へ通知することによって、移動局装置３に対して、Ａ−ＳＲＳの送信を指示することができる。ここで、基地局装置１は、移動局装置３に対して、Ａ−ＳＲＳの送信をしない場合、上りリンクグラントに含まれるＡ−ＳＲＳの送信を指示する情報を、例えば、“０”にセットして移動局装置３へ通知する。
【０１２８】
また、基地局装置１が、Ａ−ＳＲＳの送信を所定のコードポイント（所定の値）である制御情報（第１の制御情報）によって指示するとは、基地局装置１が、上りリンクグラントに含まれる制御情報（上述した、いずれかの制御情報）の中の所定の情報を、所定の値にセットすることによって、移動局装置３に対して、Ａ−ＳＲＳの送信を指示することを示している。例えば、基地局装置１は、上りリンクグラントに含まれる周波数ホッピングフラグとリソースブロック配置とホッピングリソース割り当て情報を所定の値（例えば、すべてのフィールドを“１”）にセットして移動局装置３へ通知することによって、移動局装置３に対して、Ａ−ＳＲＳの送信を指示することができる。ここで、上りリンクグラントの中のどの制御情報が、どの値にセットされている場合に、基地局装置１が、移動局装置３に対して、Ａ−ＳＲＳの送信を指示するのかは、仕様等によって事前に規定され、基地局装置１と移動局装置３との間で既知としておく。すなわち、例えば、基地局装置１は、Ａ−ＳＲＳの送信を指示する以外の用途（例えば、周波数ホッピングフラグやリソースブロック配置やホッピングリソース割り当て）のために定義された制御情報を、所定の値（例えば、すべてのフィールドを“１”）にセットして移動局装置３へ通知することによって、移動局装置３に対して、Ａ−ＳＲＳの送信を指示することができる。ここで、基地局装置１が、移動局装置３に対して、Ａ−ＳＲＳの送信を指示するために所定の値にセットする所定の情報の中に、上述した、（例えば、１ビットで表される）Ａ−ＳＲＳの送信を指示するために定義された制御情報が含まれても良い。
【０１２９】
Ａ−ＳＲＳの送信を所定のコードポイントである制御情報で指示することによって、基地局装置１は、上りリンクグラントに含まれているＡ−ＳＲＳ送信指示情報にセットされている値に因らず、移動局装置３に対してＡ−ＳＲＳのみの送信指示を行うことができる。
【０１３０】
第３の実施形態では、上りリンクグラントに１ビットの送信指示情報でＡ−ＳＲＳ送信指示が示された場合に、移動局装置３は、同一サブフレームでＰＵＳＣＨと第１のＡ−ＳＲＳを基地局装置１へ送信する。また、第１の制御情報が所定のコードポイントである場合に、同じタイミングで異なる上りリンクグラントでＰＵＳＣＨの送信指示を受信した場合には、移動局装置３は、例えば、上りリンクグラントを受信したサブフレームから４サブフレーム後にＰＵＳＣＨを基地局装置１へ送信し、４サブフレーム以降の最初のセル固有ＳＲＳサブフレームまたは移動局装置固有ＳＲＳサブフレームで第２のＡ−ＳＲＳを送信するようにしても良い。また、第２のＡ−ＳＲＳを送信するサブフレームは、予めシステムで一意に決定されていても良いし、報知情報として基地局装置１から移動局装置３に一斉に通知されても良いし、基地局装置１から個別の移動局装置３へ通知されても良い。
【０１３１】
また、第３の実施形態において、所定のコードポイントによって示されるＡ−ＳＲＳの送信指示を含むＤＣＩフォーマットがＣＳＳに配置された場合、Ａ−ＳＲＳの送信指示に使用しない他の制御情報フィールドをＡ−ＳＲＳ送信のグループスケジューリングに使用しても良い。
【０１３２】
第３の実施形態によれば、移動局装置３は、上りリンクグラントに含まれるＡ−ＳＲＳ送信指示を１ビットの送信指示情報または所定のコードポイントである第１の制御情報で示すことによってＰＵＳＣＨ送信の有無にかかわらず、第１のＡ−ＳＲＳと第２のＡ−ＳＲＳをダイナミックに切り替えて基地局装置１へ送信することができ、通信環境に合わせたチャネル測定を行うことができる。
【０１３３】
また、第３の実施形態によれば、ＰＵＳＣＨ送信が必要ない時に、ＰＵＳＣＨを伴わずにＡ−ＳＲＳの送信ができることによって、他の移動局装置に対する干渉の影響を軽減することができる。
【０１３４】
また、本発明の第１から第３の実施形態において、ＣＱＩの送信指示を含むＤＣＩフォーマットにＡ−ＳＲＳの送信指示が含まれている場合には、移動局装置３は、ＣＱＩとＡ−ＳＲＳを同一サブフレームで基地局装置１へ送信しても良いし、異なるサブフレームで送信しても良い。
【０１３５】
また、本発明の第１から第３の実施形態において、複数の上りリンクコンポーネントキャリアを用いて通信を行う場合には、第２のＡ−ＳＲＳのパラメータを上りリンクコンポーネントキャリア毎に設定しても良いし、移動局装置毎に設定しても良い。
【０１３６】
本発明によれば、基地局装置１は、（通信品質、チャネル品質、通信状態、チャネル状態、無線伝搬路状態を含む）通信環境や移動局装置３の位置（例えば、セルセンター（セル中心）やセルエッジ（セル端））、セル内の移動局装置の数に応じて、移動局装置３に第１のＡ−ＳＲＳと第２のＡ−ＳＲＳを切り替えて送信するように指示することができる。例えば、セルエッジのように通信品質の悪い環境でＰＵＳＣＨリソース内に配置した第１のＡ−ＳＲＳ（インバンドＡ−ＳＲＳ）を送信すれば、チャネル測定精度は向上する。また、セルセンターのように通信品質の良い環境でＰＵＳＣＨとは異なるリソース内に配置した広い送信帯域幅を有する第２のＡ−ＳＲＳ（アウトバンドＡ−ＳＲＳ）を送信すれば、周波数選択スケジューリングによる通信品質の向上を図ることができる。すなわち、通信環境等に応じて第１のＡ−ＳＲＳと第２のＡ−ＳＲＳを動的に切り替えることで基地局装置１と移動局装置３の間で効率的な通信を実現することができる。
【０１３７】
なお、上述した実施形態における基地局装置１と移動局装置３の一部の機能をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的（ダイナミック）にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１３８】
また、上述した実施形態における移動局装置３および基地局装置１の一部、または全部を典型的には集積回路であるＬＳＩ（Large Scale Integration）として実現しても良い。移動局装置３および基地局装置１の各機能ブロックは個別にチップ化しても良いし、一部、または全部を集積してチップ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１３９】
以上、この発明の実施形態を、図面を参照して詳述してきたが、具体的な構成はこの実施形態に限られるものではなく、この発明の要旨を逸脱しない範囲の設計等も特許請求の範囲に含まれる。
【符号の説明】
【０１４０】
１  基地局装置
３  移動局装置
１０１  送信部（基地局側送信部）
１０３  受信部（基地局側受信部）
１０５  スケジューリング部
１０７  上位層
１０８  チャネル推定部
１０９  アンテナ
２０１  送信部（移動局側送信部）
２０３  受信部（移動局側受信部）
２０５  スケジューリング部
２０６  参照信号生成部
２０７  上位層
２０８  チャネル推定部
２０９  アンテナ
１０１１  データ制御部
１０１３  変調部
１０１５  無線送信部
１０３１  無線受信部
１０３３  復調部
１０３５  データ抽出部
１０７１  無線リソース制御部
２０１１  データ制御部
２０１３  変調部
２０１５  無線送信部
２０３１  無線受信部
２０３３  復調部
２０３５  データ抽出部
２０５１  参照信号制御部
２０７１  無線リソース制御部
【図１】
0005610861.tif 000002
【図２】
0005610861.tif 000003
【図３】
0005610861.tif 000004
【図４】
0005610861.tif 000005
【図５】
0005610861.tif 000006
【図６】
0005610861.tif 000007
【図７】
0005610861.tif 000008
【図８】
0005610861.tif 000009
【図９】
0005610861.tif 000010